(57)【要約】【課題】商品の載置面を傾斜させることができる箱体において、該載置面が傾斜方向に長くなったり、重量の重い商品を載せた場合でも、載置面が下方に撓むことなく、商品の傾斜状態での陳列を行なうことができる箱体を提供する。【解決手段】内箱部Ａが畳まれた状態から立体状にすることにより、起立部７４が本体部７２に対して折曲した状態になるとともに、起立部７６が接着部７８に対して折曲した状態となり、起立部８８が起立部７４に接することにより本体部８２に対して折曲した状態となり、突状部８４が起立部７４と起立部７６間の角部７５と係合するとともに、起立部８８の正面側の端部が本体部７２の辺部７２ｅと係合して内箱部Ａが組立て状態となり、傾斜部１４は、起立部７６、７８、８８に接した状態で傾斜した状態となる。【選択図】図６
2018115001.tif 000002
【特許請求の範囲】
【請求項１】
箱体であって、
底面部（５０）と側面構成部（５）と傾斜部（１４）とを有し、
側面構成部が、正面部（１０）と、右側面部（２０）と、左側面部（３０）と、背面部（４０）とを有し、
底面部が、正面部の下辺から第１折れ線（Ｃ２１）を介して連設された第１底面部（６０）と、右側面部と左側面部の一方である第１側面部の下辺から第２折れ線（Ｃ２２）を介して連設された第２底面部（７０）と、右側面部と左側面部の他方である第２側面部の下辺から第３折れ線（Ｃ２０）を介して連設された第３底面部（８０）と、背面部の下辺から第４折れ線（Ｃ２３）を介して連設された第４底面部（９０）とを有し、
第２底面部は、第２底面部の下辺から連設された第２底面部本体部（７２）と、第２底面部本体部から第２折れ線と平行な第５折れ線（Ｃ２４）を介して連設された第１起立部（７４）と、第１起立部の背面側に第５折れ線と直角の第６折れ線（Ｃ２５）を介して連設された第２起立部（７６）と、第２起立部の下辺から第６折れ線と直角の第７折れ線（Ｃ２６）を介して連設され、第４底面部の底面に接着された第１接着部（７８）とを有し、第２底面部本体部は、第５折れ線の正面側の端部から第５折れ線に対して略直角の辺部である係合用辺部（７２ｅ）を有し、第１接着部においては、第２底面部本体の底面側と同じ側の面が第４底面部に接着され、
第３底面部は、第３側面部の下辺から連設された第３底面部本体部（８２）と、第３底面部本体部の正面側から第２折れ線に対して略４５度をなす第８折れ線（Ｃ２７）を介して連設され、第１底面部に接着された第２接着部（８６）と、第３底面部本体部から第３折れ線と平行な第９折れ線（Ｃ２８、Ｃ２９）を介して連設された第３起立部（８８）とを有し、第３底面部本体部は、第９折れ線よりも第３折れ線とは反対側に突出した突状部（８４）を有し、
正面部が、右側面部及び左側面部から連設された前正面部（１１）と、前正面部の上端から第１０折れ線（Ｃ５１、Ｃ５２）を介して折り返されて前正面部の背面に接着された後正面部（１２）とを有し、
傾斜部が、後正面部の下端から第１１折れ線（Ｃ６）を介して連設され、
箱体が、シート状のブランクにより形成され、
箱体が折り畳まれた状態では、正面部と第２側面部間の角度である第１角度が箱体の組立て状態における第１角度よりも小さく、背面部と第１側面部間の角度である第２角度が箱体の組立て状態における第２角度よりも小さくなっており、
箱体が折り畳まれた状態から第１角度と第２角度を大きくしていくことにより、第１起立部が第２底面部本体部に対して折曲した状態になるとともに、第２起立部が第１接着部に対して折曲した状態となり、第３起立部が第１起立部に接することにより第３底面部本体部に対して折曲した状態となり、突状部が第１起立部と第２起立部間の角部（７５）と係合するとともに、第３起立部の正面側の端部が係合用辺部と係合して箱体が組立て状態となり、箱体の組立て状態では、第１起立部と第３起立部が互いに対向した状態で接し、第２起立部は第１起立部に対して略直角に折曲し、第２底面部本体部の一部は第１底面部の上側に位置し、第３底面部本体部の一部は第４底面部の上側に位置し、
傾斜部が、傾斜部の底面が第１起立部と第２起立部と第３起立部の少なくともいずれかに接した状態では、側面構成部の下辺により囲まれる仮想平面に対して傾斜部の正面側が背面側よりも下側となるように傾斜した状態となることを特徴とする箱体。
【請求項２】
第１起立部における第５折れ線とは反対側の辺部である第１傾斜辺部（７４ｃ）は、第５折れ線の方向に対して正面側から背面側に向けて上側となるように傾斜し、
第３起立部における第９折れ線と反対側の辺部である第２傾斜辺部（８８ｃ）は、第９折れ線の方向に対して正面側から背面側に向けて上側となるように傾斜し、第２傾斜辺部は、箱体の組立て状態において、第１傾斜辺部に沿った状態となり、傾斜部が第１起立部と第２起立部と第３起立部の少なくともいずれかに接して傾斜した状態では、第１傾斜辺部と第２傾斜辺部は、傾斜部の底面に沿った状態となることを特徴とする請求項１に記載の箱体。
【請求項３】
傾斜部の正面部側とは反対側の端部から第１２折れ線（Ｃ７１、Ｃ７２、Ｃ７３）を介して連設された傾斜部支持部（１６）が設けられ、傾斜部支持部は、傾斜部が第１起立部と第２起立部と第３起立部の少なくともいずれかに接した状態で、背面部に接するとともに、傾斜部支持部は、傾斜部が第１起立部と第２起立部と第３起立部の少なくともいずれかに接した状態で、下方に伸びる脚部（１８−１、１８−２）を有することを特徴とする請求項１又は２に記載の箱体。
【請求項４】
傾斜部支持部は、第１２折れ線を介して連設された連結部（１７）を有し、該脚部は連結部から連設され、
傾斜部が第１起立部と第２起立部と第３起立部の少なくともいずれかに接した状態では、連結部が、背面部に接するとともに、傾斜部に対して上側に折曲した状態となり、
第１２折れ線は、同一直線上に位置する複数の折れ線から形成され、傾斜部と傾斜支持部とならなる領域を展開した状態において、第１２折れ線を構成する該複数の折れ線における隣接する折れ線間に形成された切込みを介して脚部と傾斜部とが隣接していることを特徴とする請求項３に記載の箱体。
【請求項５】
箱体が折り畳まれた状態で、第１接着部と第２底面部本体部が切目線（７８Ｋ）を介して連設され、箱体が折り畳まれた状態から第１角度と第２角度を大きくすることにより第１接着部と第２底面部本体部間の該切目線が破断することを特徴とする請求項１又は２又は３又は４に記載の箱体。
【請求項６】
正面部には、傾斜部に載置された被収納物の視認又は取出しのための切欠部（Ｋ１０）又は被収納物の視認又は取出しのための開口部が設けられていることを特徴とする請求項１又は２又は３又は４又は５に記載の箱体。
【請求項７】
背面部には、傾斜部に載置された被収納物の視認又は取出しのための切欠部（Ｋ４０）又は被収納物の視認又は取出しのための開口部が設けられていることを特徴とする請求項１又は２又は３又は４又は５に記載の箱体。
【請求項８】
包装箱であって、
内箱部（Ａ）と外箱部（Ｂ）とを有し、内箱部と外箱部が、それぞれシート状のブランクにより形成され、
内箱部が、
底面部（５０）と内側スリーブ状部（５）と傾斜部（１４）とを有し、
内側スリーブ状部が、内側正面部（１０）と、内側右側面部（２０）と、内側左側面部（３０）と、内側背面部（４０）とを有し、
底面部が、内側正面部の下辺から第１折れ線（Ｃ２１）を介して連設された第１底面部（６０）と、内側右側面部と内側左側面部の一方である内側第１側面部の下辺から第２折れ線（Ｃ２２）を介して連設された第２底面部（７０）と、内側右側面部と内側左側面部の他方である内側第２側面部の下辺から第３折れ線（Ｃ２０）を介して連設された第３底面部（８０）と、内側背面部の下辺から第４折れ線（Ｃ２３）を介して連設された第４底面部（９０）とを有し、
第２底面部は、内側第１側面部の下辺から連設された第２底面部本体部（７２）と、第２底面部本体部から第２折れ線と平行な第５折れ線（Ｃ２４）を介して連設された第１起立部（７４）と、第１起立部の背面側に第５折れ線と直角の第６折れ線（Ｃ２５）を介して連設された第２起立部（７６）と、第２起立部の下辺から第６折れ線と直角の第７折れ線（Ｃ２６）を介して連設され、第４底面部の底面に接着された第１接着部（７８）とを有し、第２底面部本体部は、第５折れ線の正面側の端部から第５折れ線に対して略直角の辺部である係合用辺部（７２ｅ）を有し、第１接着部においては、第２底面部本体の底面側と同じ側の面が第４底面部に接着され、
第３底面部は、内側第２側面部の下辺から連設された第３底面部本体部（８２）と、第３底面部本体部の正面側から第２折れ線に対して略４５度をなす第８折れ線（Ｃ２７）を介して連設され、第１底面部に接着された第２接着部（８６）と、第３底面部本体部から第３折れ線と平行な第９折れ線（Ｃ２８、Ｃ２９）を介して連設された第３起立部（８８）とを有し、第３底面部本体部は、第９折れ線よりも第３折れ線とは反対側に突出した突状部（８４）を有し、
内側正面部が、内側右側面部及び内側左側面部から連設された内側前正面部（１１）と、内側前正面部の上端から第１０折れ線（Ｃ５１、Ｃ５２）を介して折り返されて内側前正面部の背面に接着された内側後正面部（１２）とを有し、
傾斜部が、内側後正面部の下端から第１１折れ線（Ｃ６）を介して連設され、
内側前正面部と内側右側面部と内側左側面部と内側背面部の４つの内側面部における２つの内側面部において、内側面部の一部が分離部（２４、３４）として内箱面部における分離部以外の部分である内側面部本体部と切目線を介して分離可能に形成され、
外箱部が、
内箱部の外側の面に沿って設けられた外側スリーブ状部で、内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有し、外箱部を箱状に組み立てた状態では、外側正面部と外側右側面部と外側左側面部と外側背面部の４つの外側面部において、互いに隣接する外側面部が略直角をなす外側スリーブ状部（２０５）と、
外側スリーブ状部の上端から折れ線を介して連設された蓋部と、を有し、
４つの外側面部において、内箱部における分離部が設けられた内側面部である分離部形成内側面部に対応した外側面部に分離部が接着され、外側面部における分離部が接着された領域を含む片部である回動片部（２２４、２３４）が分離部が接着された外側面部の他の部分に対して回動可能に形成され、
包装箱が折り畳まれた状態では、内側正面部と内側第２側面部間の角度である第１角度が内箱部の組立て状態における第１角度よりも小さく、内側背面部と内側第１側面部間の角度である第２角度が内箱部の組立て状態における第２角度よりも小さくなっており、
包装箱が折り畳まれた状態から第１角度と第２角度を大きくしていくことにより、第１起立部が第２底面部本体部に対して折曲した状態になるとともに、第２起立部が第１接着部に対して折曲した状態となり、第３起立部が第１起立部に接することにより第３底面部本体部に対して折曲した状態となり、突状部が第１起立部と第２起立部間の角部（７５）と係合するとともに、第３起立部の正面側の端部が係合用辺部と係合して包装箱が組立て状態となり、包装箱の組立て状態では、第１起立部と第３起立部が互いに対向した状態で接し、第２起立部は第１起立部に対して略直角に折曲し、第２底面部本体部の一部は第１底面部の上側に位置し、第３底面部本体部の一部は第４底面部の上側に位置し、
傾斜部が、傾斜部の底面が第１起立部と第２起立部と第３起立部の少なくともいずれかに接した状態では、側面構成部の下辺により囲まれる仮想平面に対して傾斜部の正面側が背面側よりも下側となるように傾斜した状態となり、
回動片部を外側に回動させることにより分離部と内箱部側面部本体部間の切目線が切断されて分離部が回動片部に接着した状態で内箱部から分離することを特徴とする包装箱。
【請求項９】
第１起立部における第５折れ線とは反対側の辺部である第１傾斜辺部（７４ｃ）は、第５折れ線の方向に対して正面側から背面側に向けて上側となるように傾斜し、
第３起立部における第９折れ線と反対側の辺部である第２傾斜辺部（８８ｃ）は、第９折れ線の方向に対して正面側から背面側に向けて上側となるように傾斜し、第２傾斜辺部は、包装箱の組立て状態において、第１傾斜辺部に沿った状態となり、傾斜部が第１起立部と第２起立部と第３起立部の少なくともいずれかに接して傾斜した状態では、第１傾斜辺部と第２傾斜辺部は、傾斜部の底面に沿った状態となることを特徴とする請求項８に記載の包装箱。
【請求項１０】
傾斜部の正面部側とは反対側の端部から第１２折れ線（Ｃ７１、Ｃ７２、Ｃ７３）を介して連設された傾斜部支持部（１６）が設けられ、傾斜部支持部は、傾斜部が第１起立部と第２起立部と第３起立部の少なくともいずれかに接した状態で、内側背面部に接するとともに、傾斜部支持部は、傾斜部が第１起立部と第２起立部と第３起立部の少なくともいずれかに接した状態で、下方に伸びる脚部（１８−１、１８−２）を有することを特徴とする請求項８又は９に記載の包装箱。
【請求項１１】
傾斜部支持部は、第１２折れ線を介して連設された連結部（１７）を有し、該脚部は連結部から連設され、
傾斜部が第１起立部と第２起立部と第３起立部の少なくともいずれかに接した状態では、連結部が、内側背面部に接するとともに、傾斜部に対して上側に折曲した状態となり、
第１２折れ線は、同一直線上に位置する複数の折れ線から形成され、傾斜部と傾斜支持部とならなる領域を展開した状態において、第１２折れ線を構成する該複数の折れ線における隣接する折れ線間に形成された切込みを介して脚部と傾斜部とが隣接していることを特徴とする請求項１０に記載の包装箱。
【請求項１２】
包装箱が折り畳まれた状態で、第１接着部と第２底面部本体部が切目線（７８Ｋ）を介して連設され、包装箱が折り畳まれた状態から第１角度と第２角度を大きくすることにより第１接着部と第２底面部本体部間の該切目線が破断することを特徴とする請求項８又は９又は１０又は１１に記載の包装箱。
【請求項１３】
内側正面部には、傾斜部に載置された被収納物の視認又は取出しのための切欠部（Ｋ１０）又は被収納物の視認又は取出しのための開口部が設けられ、
分離部は、４つの内側面部における内側正面部以外の内側面部に形成されていることを特徴とする請求項８又は９又は１０又は１１又は１２に記載の包装箱。
【請求項１４】
内側背面部には、傾斜部に載置された被収納物の視認又は取出しのための切欠部（Ｋ４０）又は被収納物の視認又は取出しのための開口部が設けられ、
分離部は、４つの内側面部における内側背面部以外の内側面部に形成されていることを特徴とする請求項８又は９又は１０又は１１又は１２に記載の包装箱。
【請求項１５】
包装箱であって、内箱部（Ａ）と外箱部（Ｂ）とを有し、内箱部と外箱部が、それぞれシート状のブランクにより形成され、内箱部が、底面部（５０）と内側スリーブ状部（５）と傾斜部（１４）とを有し、内側スリーブ状部が、内側正面部（１０）と、内側右側面部（２０）と、内側左側面部（３０）と、内側背面部（４０）と、内側糊代部（４９）とを有し、底面部が、内側正面部の下辺から第１折れ線（Ｃ２１）を介して連設された第１底面部（６０）と、内側右側面部と内側左側面部の一方である内側第１側面部の下辺から第２折れ線（Ｃ２２）を介して連設された第２底面部（７０）と、内側右側面部と内側左側面部の他方である内側第２側面部の下辺から第３折れ線（Ｃ２０）を介して連設された第３底面部（８０）と、内側背面部の下辺から第４折れ線（Ｃ２３）を介して連設された第４底面部（９０）とを有し、第２底面部は、内側第１側面部の下辺から連設された第２底面部本体部（７２）と、第２底面部本体部から第２折れ線と平行な第５折れ線（Ｃ２４）を介して連設された第１起立部（７４）と、第１起立部の背面側に第５折れ線と直角の第６折れ線（Ｃ２５）を介して連設された第２起立部（７６）と、第２起立部の下辺から第６折れ線と直角の第７折れ線（Ｃ２６）を介して連設され、第４底面部の底面に接着された第１接着部（７８）とを有し、第２底面部本体部は、第５折れ線の正面側の端部から第５折れ線に対して略直角の辺部である係合用辺部（７２ｅ）を有し、第１接着部においては、第２底面部本体の底面側と同じ側の面が第４底面部に接着され、第３底面部は、内側第２側面部の下辺から連設された第３底面部本体部（８２）と、第３底面部本体部の正面側から第２折れ線に対して略４５度をなす第８折れ線（Ｃ２７）を介して連設され、第１底面部に接着された第２接着部（８６）と、第３底面部本体部から第３折れ線と平行な第９折れ線（Ｃ２８、Ｃ２９）を介して連設された第３起立部（８８）とを有し、第３底面部本体部は、第９折れ線よりも第３折れ線とは反対側に突出した突状部（８４）を有し、内側正面部が、内側右側面部及び内側左側面部から連設された内側前正面部（１１）と、内側前正面部の上端から第１０折れ線（Ｃ５１、Ｃ５２）を介して折り返されて内側前正面部の背面に接着された内側後正面部（１２）とを有し、傾斜部が、内側後正面部の下端から第１１折れ線（Ｃ６）を介して連設され、内側前正面部と内側右側面部と内側左側面部と内側背面部の４つの内側面部における２つの内側面部において、内側面部の一部が分離部（２４、３４）として内箱面部における分離部以外の部分である内側面部本体部と切目線を介して分離可能に形成され、内箱部の展開状態において、内側糊代部、内側背面部、内側第１側面部、内側正面部、内側第２側面部の順に連設され、外箱部が、内箱部の外側の面に沿って設けられた外側スリーブ状部で、内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）と、外側糊代部（２４２）とを有し、外箱部を箱状に組み立てた状態では、外側正面部と外側右側面部と外側左側面部と外側背面部の４つの外側面部において、互いに隣接する外側面部が略直角をなす外側スリーブ状部（２０５）と、外側スリーブ状部の上端から折れ線を介して連設された蓋部と、を有し、４つの外側面部において、内箱部における分離部が設けられた内側面部である分離部形成内側面部に対応した外側面部に分離部が接着され、外側面部における分離部が接着された領域を含む片部である回動片部（２２４、２３４）が分離部が接着された外側面部の他の部分に対して回動可能に形成され、外箱部の展開状態において、外側背面部、外側右側面部と外側左側面部の一方で内側第１側面部の外側の面に沿って形成された外側第１側面部、外側正面部、外側右側面部と外側左側面部の他方で内側第２側面部の外側の面に沿って形成された外側第２側面部、外側糊代部の順に連設され、包装箱が折り畳まれた状態では、内側正面部と内側第２側面部間の角度である第１角度が内箱部の組立て状態における第１角度よりも小さく、内側背面部と内側第１側面部間の角度である第２角度が内箱部の組立て状態における第２角度よりも小さくなっており、包装箱が折り畳まれた状態から第１角度と第２角度を大きくしていくことにより、第１起立部が第２底面部本体部に対して折曲した状態になるとともに、第２起立部が第１接着部に対して折曲した状態となり、第３起立部が第１起立部に接することにより第３底面部本体部に対して折曲した状態となり、突状部が第１起立部と第２起立部間の角部（７５）と係合するとともに、第３起立部の正面側の端部が係合用辺部と係合して包装箱が組立て状態となり、包装箱の組立て状態では、第１起立部と第３起立部が互いに対向した状態で接し、第２底面部本体部の一部は第１底面部の上側に位置し、第３底面部本体部の一部は第４底面部の上側に位置し、傾斜部が、傾斜部の底面が第１起立部と第２起立部と第３起立部の少なくともいずれかに接した状態では、側面構成部の下辺により囲まれる仮想平面に対して傾斜部の正面側が背面側よりも下側となるように傾斜した状態となり、回動片部を外側に回動させることにより分離部と内箱部側面部本体部間の切目線が切断されて分離部が回動片部に接着した状態で内箱部から分離することを特徴とする包装箱の製造方法であって、
展開状態の外箱部に展開状態の内箱部を接着する第１接着工程であって、外側正面部に内側正面部を重ね、外側右側面部に内側右側面部を重ね、外側左側面部に内側左側面部を重ね、外側背面部に内側背面部を重ねた状態で、外箱部の回動片部と内箱部の分離部とを接着させる第１接着工程と、
後正面部が前正面部に接着されるとともに、傾斜部が後正面部に対して第１１折れ線を介して折り返した状態とする接着・折返し工程と、
第２底面部が内側第１側面部に対して第２折れ線を介して折り返され、第４底面部が内側背面部に対して第４折れ線を介して折り返されているとともに、第１接着部と第４底面部における第１接着部が接着する領域のいずれかに接着剤を塗布した状態で、外側背面部を外側第１側面部に対して折り返して、第１接着部と第４底面部とを接着する第２接着工程と、
第３底面部本体部が内側第２側面部に対して第３折れ線を介して折り返され、第２接着部が第３底面部本体部に対して第８折れ線を介して折り返され、第１底面部が内側正面部に対して第１折れ線を介して折り返されているとともに、第２接着部と第１底面部における第２接着部が接着する領域のいずれかと、内側糊代部と内側第２側面部における内側糊代部が接着する領域のいずれかと、外側糊代部と外側背面部における外側糊代部が接着する領域のいずれかに接着剤を塗布した状態で、外側第２側面部を外側正面部に対して折り返して、第２接着部と第１底面部を接着し、内側糊代部と内側第２側面部を接着し、外側糊代部と外側背面部を接着する第３接着工程と、
を有することを特徴とする包装箱の製造方法。
【請求項１６】
接着・折返し工程と第２接着工程の間に、第１底面部を内側正面部に対して第１折れ線を介して折り返し、第２底面部を内側第１側面部に対して第２折れ線を介して折り返し、第３底面部を内側第２側面部に対して第３折れ線を介して折り返し、第４底面部を内側背面部に対して第４折れ線を介して折り返すとともに、第２接着部を第３底面部本体部に対して第８折れ線を介して折り返す折り返し工程と、第１接着部と第４底面部における第１接着部が接着する領域のいずれかに接着剤を塗布する接着剤塗布工程とを有し、
第２接着工程と第３接着工程の間に、第２接着部と第１底面部における第２接着部が接着する領域のいずれかと、内側糊代部と内側第２側面部における内側糊代部が接着する領域のいずれかと、外側糊代部と外側背面部における外側糊代部が接着する領域のいずれかに接着剤を塗布する第２接着剤塗布工程とを有することを特徴とする請求項１５に記載の包装箱の製造方法。
【発明の詳細な説明】
【技術分野】
【０００１】
本発明は、商品を展示するための箱体に関するものであり、特に、商品を載置する面を傾斜させることができる箱体に関するものである。
【背景技術】
【０００２】
従来より、商品を展示するための箱体において、商品を載置する面を傾斜させることができるものとして特許文献１〜３に記載のものが存在する。
【０００３】
ここで、特許文献１に記載の陳列兼用包装箱においては、背面板１から切り取られた蓋板５を陳列兼用包装箱内の底部において、蓋板先端に形成された差込片５１を下方に折り曲げて、蓋板切取線部分１０が正面板側に、差込片が背面板側にそれぞれ位置するように設置することにより、後方から前方にかけて漸次低くなる底面が形成される。
【０００４】
また、特許文献２に記載の展示機能つきカートンにおいては、正面板１の下端より延設された底面部組成板９を介して傾斜板１０が設けられ、該傾斜板１０の開放端部には下方に折り曲げが可能な支え板１１が設けられている。
【０００５】
また、特許文献３に記載の包装展示兼用箱においては、箱本体１に商品を収納する底パッド２が挿入され、箱本体１における後壁５と各側壁４の稜部に箱本体１内に押込可能な押込片１５が設けられ、展示状態への変形に際しては、底パッド２の後部を摘み片２０により持ち上げ、押込片１５を押し込み、底パッド２の後部を押込片１５に載せることにより、敷板１７が傾斜する。
【０００６】
また、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができる包装箱として、特許文献４及び特許文献５に示す先行技術文献についての出願を行っている。
【先行技術文献】
【特許文献】
【０００７】
【特許文献１】実用新案登録第３１８０４９９号公報
【特許文献２】特開２０１１−１１６３８７号公報
【特許文献３】特開２００１−１１４２５８号公報
【特許文献４】実用新案登録第３１３９９４８号公報
【特許文献５】特開２０１６−７４４７８号公報
【発明の概要】
【発明が解決しようとする課題】
【０００８】
しかし、特許文献１に記載の構成においては、蓋板５の差込片５１以外の部分である傾斜面は、差込片５１のみより傾斜状態が維持されているので、該傾斜面が傾斜方向に沿って長く形成された場合や重量の重い商品を載せた場合には、該傾斜面が下方に撓んで傾斜状態での陳列を行なうことができないおそれがある。
【０００９】
また、特許文献２に記載の構成においても、傾斜板１０は支え板１１のみにより傾斜状態が維持されているので、該傾斜板１０が傾斜方向に沿って長く形成された場合や重量の重い商品を載せた場合には、該傾斜板１０が下方に撓んで傾斜状態での陳列を行なうことができないおそれがある。
【００１０】
さらに、特許文献３に記載の構成においても、底パッド２は、押込片１５のみにより傾斜状態が維持されているので、底パッド２が傾斜方向に沿って長く形成された場合や重量の重い商品を載せた場合には、該底パッド２が下方に撓んで傾斜状態での陳列を行なうことができないおそれがある。
【００１１】
そこで、商品の載置面を傾斜させることができる箱体において、該載置面が傾斜方向に長く形成されたり、重量の重い商品を載せた場合でも、載置面が下方に撓むことなく、商品の傾斜状態での陳列を行なうことができる箱体を提供することを目的とする。
【課題を解決するための手段】
【００１２】
本発明は上記問題点を解決するために創作されたものであって、第１には、箱体であって、底面部（５０）と側面構成部（５）と傾斜部（１４）とを有し、側面構成部が、正面部（１０）と、右側面部（２０）と、左側面部（３０）と、背面部（４０）とを有し、底面部が、正面部の下辺から第１折れ線（Ｃ２１）を介して連設された第１底面部（６０）と、右側面部と左側面部の一方である第１側面部の下辺から第２折れ線（Ｃ２２）を介して連設された第２底面部（７０）と、右側面部と左側面部の他方である第２側面部の下辺から第３折れ線（Ｃ２０）を介して連設された第３底面部（８０）と、背面部の下辺から第４折れ線（Ｃ２３）を介して連設された第４底面部（９０）とを有し、第２底面部は、第２底面部の下辺から連設された第２底面部本体部（７２）と、第２底面部本体部から第２折れ線と平行な第５折れ線（Ｃ２４）を介して連設された第１起立部（７４）と、第１起立部の背面側に第５折れ線と直角の第６折れ線（Ｃ２５）を介して連設された第２起立部（７６）と、第２起立部の下辺から第６折れ線と直角の第７折れ線（Ｃ２６）を介して連設され、第４底面部の底面に接着された第１接着部（７８）とを有し、第２底面部本体部は、第５折れ線の正面側の端部から第５折れ線に対して略直角の辺部である係合用辺部（７２ｅ）を有し、第１接着部においては、第２底面部本体の底面側と同じ側の面が第４底面部に接着され、第３底面部は、第３側面部の下辺から連設された第３底面部本体部（８２）と、第３底面部本体部の正面側から第２折れ線に対して略４５度をなす第８折れ線（Ｃ２７）を介して連設され、第１底面部に接着された第２接着部（８６）と、第３底面部本体部から第３折れ線と平行な第９折れ線（Ｃ２８、Ｃ２９）を介して連設された第３起立部（８８）とを有し、第３底面部本体部は、第９折れ線よりも第３折れ線とは反対側に突出した突状部（８４）を有し、正面部が、右側面部及び左側面部から連設された前正面部（１１）と、前正面部の上端から第１０折れ線（Ｃ５１、Ｃ５２）を介して折り返されて前正面部の背面に接着された後正面部（１２）とを有し、傾斜部が、後正面部の下端から第１１折れ線（Ｃ６）を介して連設され、箱体が、シート状のブランクにより形成され、箱体が折り畳まれた状態では、正面部と第２側面部間の角度である第１角度が箱体の組立て状態における第１角度よりも小さく、背面部と第１側面部間の角度である第２角度が箱体の組立て状態における第２角度よりも小さくなっており、箱体が折り畳まれた状態から第１角度と第２角度を大きくしていくことにより、第１起立部が第２底面部本体部に対して折曲した状態になるとともに、第２起立部が第１接着部に対して折曲した状態となり、第３起立部が第１起立部に接することにより第３底面部本体部に対して折曲した状態となり、突状部が第１起立部と第２起立部間の角部（７５）と係合するとともに、第３起立部の正面側の端部が係合用辺部と係合して箱体が組立て状態となり、箱体の組立て状態では、第１起立部と第３起立部が互いに対向した状態で接し、第２起立部は第１起立部に対して略直角に折曲し、第２底面部本体部の一部は第１底面部の上側に位置し、第３底面部本体部の一部は第４底面部の上側に位置し、傾斜部が、傾斜部の底面が第１起立部と第２起立部と第３起立部の少なくともいずれかに接した状態では、側面構成部の下辺により囲まれる仮想平面に対して傾斜部の正面側が背面側よりも下側となるように傾斜した状態となることを特徴とする。
【００１３】
第１の構成によれば、箱体の組立て状態では、第１起立部が第２底面部本体部に対して折曲した状態になり、第２起立部が第１接着部に対して折曲した状態となり、第３起立部が第３底面部本体部に対して折曲した状態となることにより、第１起立部と第２起立部と第３起立部が起立した状態となり、傾斜部は、第１起立部と第２起立部と第３起立部の少なくともいずれかに接して支持されるので、傾斜部が傾斜方向に長く形成されたり、重量の重い被収納物を載せた場合でも、傾斜部が下方に撓むことなく、被収納物の傾斜状態での陳列を行なうことができる。
【００１４】
なお、上記第１の構成において、第２折れ線と第５折れ線間の長さ（Ｌ７２）が第３折れ線と第９折れ線間の長さ（Ｌ８２）と略同一に形成され、第１側面部の正面側の端部をなす辺部（正面部と第１側面部間の折れ線としてもよい）と係合用辺部との間の第２折れ線の方向に沿った長さ（Ｌ７０）が、第２側面部の正面側の端部をなす辺部（正面部と第２側面部間の折れ線としてもよい）と第３起立部の正面側の端部をなす辺部（８８ｄ）との間の第３折れ線の方向に沿った長さ（Ｌ８０）と略同一であり、第１側面部の背面側の端部をなす辺部と第６折れ線との間の第２折れ線の方向に沿った長さ（Ｌ７１）が、第２側面部の背面側の端部をなす辺部と突状部の正面側の端部をなす辺部（８２ｇ）との間の第３折れ線の方向に沿った長さ（Ｌ８１）とが略同一であるとしてもよい。
【００１５】
また、第２には、上記第１の構成において、第１起立部における第５折れ線とは反対側の辺部である第１傾斜辺部（７４ｃ）は、第５折れ線の方向に対して正面側から背面側に向けて上側となるように傾斜し、第３起立部における第９折れ線と反対側の辺部である第２傾斜辺部（８８ｃ）は、第９折れ線の方向に対して正面側から背面側に向けて上側となるように傾斜し、第２傾斜辺部は、箱体の組立て状態において、第１傾斜辺部に沿った状態となり、傾斜部が第１起立部と第２起立部と第３起立部の少なくともいずれかに接して傾斜した状態では、第１傾斜辺部と第２傾斜辺部は、傾斜部の底面に沿った状態となることを特徴とする。
【００１６】
よって、第１起立部に第１傾斜辺部が設けられ、第３起立部に第２傾斜辺部が設けられ、傾斜部が第１起立部と第２起立部と第３起立部の少なくともいずれかに接して傾斜した状態では、第１傾斜辺部と第２傾斜辺部は、傾斜部の底面に沿った状態となるので、傾斜部の傾斜状態を安定させることができる。
【００１７】
また、第３には、上記第１又は第２の構成において、傾斜部の正面部側とは反対側の端部から第１２折れ線（Ｃ７１、Ｃ７２、Ｃ７３）を介して連設された傾斜部支持部（１６）が設けられ、傾斜部支持部は、傾斜部が第１起立部と第２起立部と第３起立部の少なくともいずれかに接した状態で、背面部に接するとともに、傾斜部支持部は、傾斜部が第１起立部と第２起立部と第３起立部の少なくともいずれかに接した状態で、下方に伸びる脚部（１８−１、１８−２）を有することを特徴とする。
【００１８】
よって、傾斜部は、傾斜部支持部によっても支持されるので、傾斜部の傾斜状態を保つことができ、特に、傾斜部における第１起立部〜第３起立部よりも背面側の領域が下方に撓むことがない。
【００１９】
また、第４には、上記第３の構成において、傾斜部支持部は、第１２折れ線を介して連設された連結部（１７）を有し、該脚部は連結部から連設され、傾斜部が第１起立部と第２起立部と第３起立部の少なくともいずれかに接した状態では、連結部が、背面部に接するとともに、傾斜部に対して上側に折曲した状態となり、第１２折れ線は、同一直線上に位置する複数の折れ線から形成され、傾斜部と傾斜支持部とならなる領域を展開した状態において、第１２折れ線を構成する該複数の折れ線における隣接する折れ線間に形成された切込みを介して脚部と傾斜部とが隣接していることを特徴とする。
【００２０】
よって、連結部は傾斜部に対して上側に折曲した状態となるので、傾斜部に載置された商品が傾斜部の背面部側から落下するおそれがない。
【００２１】
また、第４−１の構成として、上記第１から第４までのいずれかの構成において、側面構成部が、背面部から折れ線を介して連設され、左側面部又は右側面部の内側の面に接着された糊代部（４９）を有し、傾斜部が第１起立部と第２起立部と第３起立部の少なくともいずれかに接した状態では、傾斜部は、糊代部の内側の面に接することを特徴とするとしてもよい。これにより、傾斜部が第１起立部と第２起立部と第３起立部の少なくともいずれかに接した状態では、傾斜部は、糊代部の内側の面に接するので、傾斜部が傾斜状態から上方に浮き上がるのを防止することができる。
【００２２】
また、第５には、上記第１から第４までのいずれかの構成において、箱体が折り畳まれた状態で、第１接着部と第２底面部本体部が切目線（７８Ｋ）を介して連設され、箱体が折り畳まれた状態から第１角度と第２角度を大きくすることにより第１接着部と第２底面部本体部間の該切目線が破断することを特徴とする。
【００２３】
よって、第１接着部と第２底面部本体部が切目線（７８Ｋ）を介して連設されていることにより、第２底面部が平板状の状態に維持され、これにより、箱体が扁平状に折り畳まれた状態が維持されるので、折り畳んだ状態の箱体を保管・運搬する際に省スペースを図ることができる。
【００２４】
また、第６には、上記第１から第５までのいずれかの構成において、正面部には、傾斜部に載置された被収納物の視認又は取出しのための切欠部（Ｋ１０）又は被収納物の視認又は取出しのための開口部が設けられていることを特徴とする。
【００２５】
よって、箱体の正面部側を被収納物の陳列における正面側とすることにより、被収納物は正面側にスライドしやすくなり、被収納物を正面側から取り出しやすくすることができる。
【００２６】
また、第７には、上記第１から第５までのいずれかの構成において、背面部には、傾斜部に載置された被収納物の視認又は取出しのための切欠部（Ｋ４０）又は被収納物の視認又は取出しのための開口部が設けられていることを特徴とする。
【００２７】
よって、箱体の背面部側を被収納物の陳列における正面側とすることにより、陳列された被収納物の正面側が斜め上向きとなるので、被収納物の正面側の面を斜め上方から視認しやすくすることができる。
【００２８】
また、第８には、包装箱であって、内箱部（Ａ）と外箱部（Ｂ）とを有し、内箱部と外箱部が、それぞれシート状のブランクにより形成され、内箱部が、底面部（５０）と内側スリーブ状部（５）と傾斜部（１４）とを有し、内側スリーブ状部が、内側正面部（１０）と、内側右側面部（２０）と、内側左側面部（３０）と、内側背面部（４０）とを有し、底面部が、内側正面部の下辺から第１折れ線（Ｃ２１）を介して連設された第１底面部（６０）と、内側右側面部と内側左側面部の一方である内側第１側面部の下辺から第２折れ線（Ｃ２２）を介して連設された第２底面部（７０）と、内側右側面部と内側左側面部の他方である内側第２側面部の下辺から第３折れ線（Ｃ２０）を介して連設された第３底面部（８０）と、内側背面部の下辺から第４折れ線（Ｃ２３）を介して連設された第４底面部（９０）とを有し、第２底面部は、内側第１側面部の下辺から連設された第２底面部本体部（７２）と、第２底面部本体部から第２折れ線と平行な第５折れ線（Ｃ２４）を介して連設された第１起立部（７４）と、第１起立部の背面側に第５折れ線と直角の第６折れ線（Ｃ２５）を介して連設された第２起立部（７６）と、第２起立部の下辺から第６折れ線と直角の第７折れ線（Ｃ２６）を介して連設され、第４底面部の底面に接着された第１接着部（７８）とを有し、第２底面部本体部は、第５折れ線の正面側の端部から第５折れ線に対して略直角の辺部である係合用辺部（７２ｅ）を有し、第１接着部においては、第２底面部本体の底面側と同じ側の面が第４底面部に接着され、第３底面部は、内側第２側面部の下辺から連設された第３底面部本体部（８２）と、第３底面部本体部の正面側から第２折れ線に対して略４５度をなす第８折れ線（Ｃ２７）を介して連設され、第１底面部に接着された第２接着部（８６）と、第３底面部本体部から第３折れ線と平行な第９折れ線（Ｃ２８、Ｃ２９）を介して連設された第３起立部（８８）とを有し、第３底面部本体部は、第９折れ線よりも第３折れ線とは反対側に突出した突状部（８４）を有し、内側正面部が、内側右側面部及び内側左側面部から連設された内側前正面部（１１）と、内側前正面部の上端から第１０折れ線（Ｃ５１、Ｃ５２）を介して折り返されて内側前正面部の背面に接着された内側後正面部（１２）とを有し、傾斜部が、内側後正面部の下端から第１１折れ線（Ｃ６）を介して連設され、内側前正面部と内側右側面部と内側左側面部と内側背面部の４つの内側面部における２つの内側面部において、内側面部の一部が分離部（２４、３４）として内箱面部における分離部以外の部分である内側面部本体部と切目線を介して分離可能に形成され、外箱部が、内箱部の外側の面に沿って設けられた外側スリーブ状部で、内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有し、外箱部を箱状に組み立てた状態では、外側正面部と外側右側面部と外側左側面部と外側背面部の４つの外側面部において、互いに隣接する外側面部が略直角をなす外側スリーブ状部（２０５）と、外側スリーブ状部の上端から折れ線を介して連設された蓋部と、を有し、４つの外側面部において、内箱部における分離部が設けられた内側面部である分離部形成内側面部に対応した外側面部に分離部が接着され、外側面部における分離部が接着された領域を含む片部である回動片部（２２４、２３４）が分離部が接着された外側面部の他の部分に対して回動可能に形成され、包装箱が折り畳まれた状態では、内側正面部と内側第２側面部間の角度である第１角度が内箱部の組立て状態における第１角度よりも小さく、内側背面部と内側第１側面部間の角度である第２角度が内箱部の組立て状態における第２角度よりも小さくなっており、包装箱が折り畳まれた状態から第１角度と第２角度を大きくしていくことにより、第１起立部が第２底面部本体部に対して折曲した状態になるとともに、第２起立部が第１接着部に対して折曲した状態となり、第３起立部が第１起立部に接することにより第３底面部本体部に対して折曲した状態となり、突状部が第１起立部と第２起立部間の角部（７５）と係合するとともに、第３起立部の正面側の端部が係合用辺部と係合して包装箱が組立て状態となり、包装箱の組立て状態では、第１起立部と第３起立部が互いに対向した状態で接し、第２起立部は第１起立部に対して略直角に折曲し、第２底面部本体部の一部は第１底面部の上側に位置し、第３底面部本体部の一部は第４底面部の上側に位置し、傾斜部が、傾斜部の底面が第１起立部と第２起立部と第３起立部の少なくともいずれかに接した状態では、側面構成部の下辺により囲まれる仮想平面に対して傾斜部の正面側が背面側よりも下側となるように傾斜した状態となり、回動片部を外側に回動させることにより分離部と内箱部側面部本体部間の切目線が切断されて分離部が回動片部に接着した状態で内箱部から分離することを特徴とする。
【００２９】
第８の構成によれば、内箱部の組立て状態では、第１起立部が第２底面部本体部に対して折曲した状態になり、第２起立部が第１接着部に対して折曲した状態となり、第３起立部が第３底面部本体部に対して折曲した状態となることにより、第１起立部と第２起立部と第３起立部が起立した状態となり、傾斜部は、第１起立部と第２起立部と第３起立部の少なくともいずれかに接して支持されるので、傾斜部が傾斜方向に長く形成されたり、重量の重い被収納物を載せた場合でも、傾斜部が下方に撓むことなく、被収納物の傾斜状態での陳列を行なうことができる。
【００３０】
また、組み立てた状態の包装箱に上方から被収納物である商品を収納して、蓋部を閉じて封止するのみであるので、容易に商品の梱包作業を行うことができ、また、回動片部を外側に回動させて、分離部を内箱部から分離して外箱部を上方に引き上げるのみで陳列することができるので、商品の陳列作業を容易に行なうことができる。
【００３１】
なお、上記第８の構成において、第２折れ線と第５折れ線間の長さ（Ｌ７２）が第３折れ線と第９折れ線間の長さ（Ｌ８２）と略同一に形成され、内側第１側面部の正面側の端部をなす辺部（内側正面部と内側第１側面部間の折れ線としてもよい）と係合用辺部との間の第２折れ線の方向に沿った長さ（Ｌ７０）が、内側第２側面部の内側正面側の端部をなす辺部（内側正面部と内側第２側面部間の折れ線としてもよい）と第３起立部の正面側の端部をなす辺部（８８ｄ）との間の第３折れ線の方向に沿った長さ（Ｌ８０）と略同一であり、内側第１側面部の背面側の端部をなす辺部と第６折れ線との間の第２折れ線の方向に沿った長さ（Ｌ７１）が、内側第２側面部の背面側の端部をなす辺部と突状部の正面側の端部をなす辺部（８２ｇ）との間の第３折れ線の方向に沿った長さ（Ｌ８１）とが略同一であるとしてもよい。
【００３２】
また、上記第８の構成において、分離部は、内側右側面部と内側左側面部に設けられ、回動片部は、外側右側面部と外側左側面部に設けられているものとしてもよい。つまり、「内側正面部と内側右側面部と内側左側面部と内側背面部の４つの内側面部における２つの内側面部において、内側面部の一部が分離部（２４、３４）として内箱面部における分離部以外の部分である内側面部本体部と切目線を介して分離可能に形成され、」を「内側スリーブ状部において、内側右側面部の一部が第１分離部（２４）として内側右側面部における分離部以外の部分である内側右側面部本体部と切目線を介して分離可能に形成され、内側左側面部の一部が第２分離部（２４）として内側左側面部における分離部以外の部分である内側左側面部本体部と切目線を介して分離可能に形成され、」としてもよく、また、「外側正面部と外側右側面部と外側左側面部と外側背面部の４つの外側面部において、内箱部における分離部が設けられた内側面部である分離部形成内側面部に対応した外側面部に分離部が接着され、外側面部における分離部が接着された領域を含む片部である回動片部（２２４、２３４）が分離部が接着された外側面部の他の部分に対して回動可能に形成され、」を「外側スリーブ状部において、外側右側面部に第１分離部が接着され、外側右側面部における第１分離部が接着された領域を含む片部である第１回動片部（２２４）が外側右側面部の他の部分に対して回動可能に形成され、外側左側面部に第２分離部が接着され、外側左側面部における第２分離部が接着された領域を含む片部である第２回動片部（２３４）が外側左側面部の他の部分に対して回動可能に形成され、」としてもよい。
【００３３】
また、第９には、上記第８の構成において、第１起立部における第５折れ線とは反対側の辺部である第１傾斜辺部（７４ｃ）は、第５折れ線の方向に対して正面側から背面側に向けて上側となるように傾斜し、第３起立部における第９折れ線と反対側の辺部である第２傾斜辺部（８８ｃ）は、第９折れ線の方向に対して正面側から背面側に向けて上側となるように傾斜し、第２傾斜辺部は、包装箱の組立て状態において、第１傾斜辺部に沿った状態となり、傾斜部が第１起立部と第２起立部と第３起立部の少なくともいずれかに接して傾斜した状態では、第１傾斜辺部と第２傾斜辺部は、傾斜部の底面に沿った状態となることを特徴とする。
【００３４】
よって、第１起立部に第１傾斜辺部が設けられ、第３起立部に第２傾斜辺部が設けられ、傾斜部が第１起立部と第２起立部と第３起立部の少なくともいずれかに接して傾斜した状態では、第１傾斜辺部と第２傾斜辺部は、傾斜部の底面に沿った状態となるので、傾斜部の傾斜状態を安定させることができる。
【００３５】
また、第１０には、上記第８又は第９の構成において、傾斜部の正面部側とは反対側の端部から第１２折れ線（Ｃ７１、Ｃ７２、Ｃ７３）を介して連設された傾斜部支持部（１６）が設けられ、傾斜部支持部は、傾斜部が第１起立部と第２起立部と第３起立部の少なくともいずれかに接した状態で、内側背面部に接するとともに、傾斜部支持部は、傾斜部が第１起立部と第２起立部と第３起立部の少なくともいずれかに接した状態で、下方に伸びる脚部（１８−１、１８−２）を有することを特徴とする。
【００３６】
よって、傾斜部は、傾斜部支持部によっても支持されるので、傾斜部の傾斜状態を保つことができ、特に、傾斜部における第１起立部〜第３起立部よりも背面側の領域が下方に撓むことがない。
【００３７】
また、第１１には、上記第１０の構成において、傾斜部支持部は、第１２折れ線を介して連設された連結部（１７）を有し、該脚部は連結部から連設され、傾斜部が第１起立部と第２起立部と第３起立部の少なくともいずれかに接した状態では、連結部が、内側背面部に接するとともに、傾斜部に対して上側に折曲した状態となり、第１２折れ線は、同一直線上に位置する複数の折れ線から形成され、傾斜部と傾斜支持部とならなる領域を展開した状態において、第１２折れ線を構成する該複数の折れ線における隣接する折れ線間に形成された切込みを介して脚部と傾斜部とが隣接していることを特徴とする。
【００３８】
よって、連結部は傾斜部に対して上側に折曲した状態となるので、傾斜部に載置された商品が傾斜部の背面部側から落下するおそれがない。
【００３９】
また、第１１−１の構成として、上記第８から第１１までのいずれかの構成において、内側スリーブ状部が、背面部から折れ線を介して連設され、左側面部又は右側面部の内側の面に接着された糊代部（４９）を有し、傾斜部が第１起立部と第２起立部と第３起立部の少なくともいずれかに接した状態では、傾斜部は、糊代部の内側の面に接することを特徴とするものとしてもよい。よって、傾斜部が第１起立部と第２起立部と第３起立部の少なくともいずれかに接した状態では、傾斜部は、糊代部の内側の面に接するので、傾斜部が傾斜状態から上方に浮き上がるのを防止することができる。
【００４０】
また、第１２には、上記第８から第１１までのいずれかの構成において、包装箱が折り畳まれた状態で、第１接着部と第２底面部本体部が切目線（７８Ｋ）を介して連設され、包装箱が折り畳まれた状態から第１角度と第２角度を大きくすることにより第１接着部と第２底面部本体部間の該切目線が破断することを特徴とする。
【００４１】
よって、第１接着部と第２底面部本体部が切目線（７８Ｋ）を介して連設されていることにより、第２底面部が平板状の状態に維持され、これにより、包装箱が扁平状に折り畳まれた状態が維持されるので、折り畳んだ状態の包装箱を保管・運搬する際に省スペースを図ることができる。
【００４２】
また、第１３には、上記第８から第１２までのいずれかの構成において、内側正面部には、傾斜部に載置された被収納物の視認又は取出しのための切欠部（Ｋ１０）又は被収納物の視認又は取出しのための開口部が設けられ、分離部は、４つの内側面部における内側正面部以外の内側面部に形成されていることを特徴とする。
【００４３】
よって、箱体の正面部側を被収納物の陳列における正面側とすることにより、被収納物は正面側にスライドしやすくなり、被収納物を正面側から取り出しやすくすることができる。
【００４４】
また、第１４には、上記第８から第１２までのいずれかの構成において、内側背面部には、傾斜部に載置された被収納物の視認又は取出しのための切欠部（Ｋ４０）又は被収納物の視認又は取出しのための開口部が設けられ、分離部は、４つの内側面部における内側背面部以外の内側面部に形成されていることを特徴とする。
【００４５】
よって、箱体の背面部側を被収納物の陳列における正面側とすることにより、陳列された被収納物の正面側が斜め上向きとなるので、被収納物の正面側の面を斜め上方から視認しやすくすることができる。
【００４６】
また、第１５には、包装箱であって、内箱部（Ａ）と外箱部（Ｂ）とを有し、内箱部と外箱部が、それぞれシート状のブランクにより形成され、内箱部が、底面部（５０）と内側スリーブ状部（５）と傾斜部（１４）とを有し、内側スリーブ状部が、内側正面部（１０）と、内側右側面部（２０）と、内側左側面部（３０）と、内側背面部（４０）と、内側糊代部（４９）とを有し、底面部が、内側正面部の下辺から第１折れ線（Ｃ２１）を介して連設された第１底面部（６０）と、内側右側面部と内側左側面部の一方である内側第１側面部の下辺から第２折れ線（Ｃ２２）を介して連設された第２底面部（７０）と、内側右側面部と内側左側面部の他方である内側第２側面部の下辺から第３折れ線（Ｃ２０）を介して連設された第３底面部（８０）と、内側背面部の下辺から第４折れ線（Ｃ２３）を介して連設された第４底面部（９０）とを有し、第２底面部は、内側第１側面部の下辺から連設された第２底面部本体部（７２）と、第２底面部本体部から第２折れ線と平行な第５折れ線（Ｃ２４）を介して連設された第１起立部（７４）と、第１起立部の背面側に第５折れ線と直角の第６折れ線（Ｃ２５）を介して連設された第２起立部（７６）と、第２起立部の下辺から第６折れ線と直角の第７折れ線（Ｃ２６）を介して連設され、第４底面部の底面に接着された第１接着部（７８）とを有し、第２底面部本体部は、第５折れ線の正面側の端部から第５折れ線に対して略直角の辺部である係合用辺部（７２ｅ）を有し、第１接着部においては、第２底面部本体の底面側と同じ側の面が第４底面部に接着され、第３底面部は、内側第２側面部の下辺から連設された第３底面部本体部（８２）と、第３底面部本体部の正面側から第２折れ線に対して略４５度をなす第８折れ線（Ｃ２７）を介して連設され、第１底面部に接着された第２接着部（８６）と、第３底面部本体部から第３折れ線と平行な第９折れ線（Ｃ２８、Ｃ２９）を介して連設された第３起立部（８８）とを有し、第３底面部本体部は、第９折れ線よりも第３折れ線とは反対側に突出した突状部（８４）を有し、内側正面部が、内側右側面部及び内側左側面部から連設された内側前正面部（１１）と、内側前正面部の上端から第１０折れ線（Ｃ５１、Ｃ５２）を介して折り返されて内側前正面部の背面に接着された内側後正面部（１２）とを有し、傾斜部が、内側後正面部の下端から第１１折れ線（Ｃ６）を介して連設され、内側前正面部と内側右側面部と内側左側面部と内側背面部の４つの内側面部における２つの内側面部において、内側面部の一部が分離部（２４、３４）として内箱面部における分離部以外の部分である内側面部本体部と切目線を介して分離可能に形成され、内箱部の展開状態において、内側糊代部、内側背面部、内側第１側面部、内側正面部、内側第２側面部の順に連設され、外箱部が、内箱部の外側の面に沿って設けられた外側スリーブ状部で、内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）と、外側糊代部（２４２）とを有し、外箱部を箱状に組み立てた状態では、外側正面部と外側右側面部と外側左側面部と外側背面部の４つの外側面部において、互いに隣接する外側面部が略直角をなす外側スリーブ状部（２０５）と、外側スリーブ状部の上端から折れ線を介して連設された蓋部と、を有し、４つの外側面部において、内箱部における分離部が設けられた内側面部である分離部形成内側面部に対応した外側面部に分離部が接着され、外側面部における分離部が接着された領域を含む片部である回動片部（２２４、２３４）が分離部が接着された外側面部の他の部分に対して回動可能に形成され、外箱部の展開状態において、外側背面部、外側右側面部と外側左側面部の一方で内側第１側面部の外側の面に沿って形成された外側第１側面部、外側正面部、外側右側面部と外側左側面部の他方で内側第２側面部の外側の面に沿って形成された外側第２側面部、外側糊代部の順に連設され、包装箱が折り畳まれた状態では、内側正面部と内側第２側面部間の角度である第１角度が内箱部の組立て状態における第１角度よりも小さく、内側背面部と内側第１側面部間の角度である第２角度が内箱部の組立て状態における第２角度よりも小さくなっており、包装箱が折り畳まれた状態から第１角度と第２角度を大きくしていくことにより、第１起立部が第２底面部本体部に対して折曲した状態になるとともに、第２起立部が第１接着部に対して折曲した状態となり、第３起立部が第１起立部に接することにより第３底面部本体部に対して折曲した状態となり、突状部が第１起立部と第２起立部間の角部（７５）と係合するとともに、第３起立部の正面側の端部が係合用辺部と係合して包装箱が組立て状態となり、包装箱の組立て状態では、第１起立部と第３起立部が互いに対向した状態で接し、第２底面部本体部の一部は第１底面部の上側に位置し、第３底面部本体部の一部は第４底面部の上側に位置し、傾斜部が、傾斜部の底面が第１起立部と第２起立部と第３起立部の少なくともいずれかに接した状態では、側面構成部の下辺により囲まれる仮想平面に対して傾斜部の正面側が背面側よりも下側となるように傾斜した状態となり、回動片部を外側に回動させることにより分離部と内箱部側面部本体部間の切目線が切断されて分離部が回動片部に接着した状態で内箱部から分離することを特徴とする包装箱の製造方法であって、展開状態の外箱部に展開状態の内箱部を接着する第１接着工程であって、外側正面部に内側正面部を重ね、外側右側面部に内側右側面部を重ね、外側左側面部に内側左側面部を重ね、外側背面部に内側背面部を重ねた状態で、外箱部の回動片部と内箱部の分離部とを接着させる第１接着工程と、後正面部が前正面部に接着されるとともに、傾斜部が後正面部に対して第１１折れ線を介して折り返した状態とする接着・折返し工程と、第２底面部が内側第１側面部に対して第２折れ線を介して折り返され、第４底面部が内側背面部に対して第４折れ線を介して折り返されているとともに、第１接着部と第４底面部における第１接着部が接着する領域のいずれかに接着剤を塗布した状態で、外側背面部を外側第１側面部に対して折り返して、第１接着部と第４底面部とを接着する第２接着工程と、第３底面部本体部が内側第２側面部に対して第３折れ線を介して折り返され、第２接着部が第３底面部本体部に対して第８折れ線を介して折り返され、第１底面部が内側正面部に対して第１折れ線を介して折り返されているとともに、第２接着部と第１底面部における第２接着部が接着する領域のいずれかと、内側糊代部と内側第２側面部における内側糊代部が接着する領域のいずれかと、外側糊代部と外側背面部における外側糊代部が接着する領域のいずれかに接着剤を塗布した状態で、外側第２側面部を外側正面部に対して折り返して、第２接着部と第１底面部を接着し、内側糊代部と内側第２側面部を接着し、外側糊代部と外側背面部を接着する第３接着工程と、を有することを特徴とする。
【００４７】
第１５の構成によれば、製造された包装箱における内箱部の組立て状態では、第１起立部が第２底面部本体部に対して折曲した状態になり、第２起立部が第１接着部に対して折曲した状態となり、第３起立部が第３底面部本体部に対して折曲した状態となることにより、第１起立部と第２起立部と第３起立部が起立した状態となり、傾斜部は、第１起立部と第２起立部と第３起立部の少なくともいずれかに接して支持されるので、傾斜部が傾斜方向に長く形成されたり、重量の重い被収納物を載せた場合でも、傾斜部が下方に撓むことなく、被収納物の傾斜状態での陳列を行なうことができる。
【００４８】
また、組み立てた状態の包装箱に上方から被収納物である商品を収納して、蓋部を閉じて封止するのみであるので、容易に商品の梱包作業を行うことができ、また、回動片部を外側に回動させて、分離部を内箱部から分離して外箱部を上方に引き上げるのみで陳列することができるので、商品の陳列作業を容易に行なうことができる。
【００４９】
また、外箱部と内箱部を重ねて接着した後に、前正面部と後正面部を接着した後に、底面部を構成する各部をスリーブ状部に対して折り返して、所定の領域に接着剤を塗布した後に、折り返す工程を２回行うことにより製造することができるので、包装箱の製造が容易となる。
【００５０】
なお、上記第１５の構成において、第２折れ線と第５折れ線間の長さ（Ｌ７２）が第３折れ線と第９折れ線間の長さ（Ｌ８２）と略同一に形成され、第１側面部の正面側の端部をなす辺部（正面部と第１側面部間の折れ線としてもよい）と係合用辺部との間の第２折れ線の方向に沿った長さ（Ｌ７０）が、第２側面部の正面側の端部をなす辺部（正面部と第２側面部間の折れ線としてもよい）と第３起立部の正面側の端部をなす辺部（８８ｄ）との間の第３折れ線の方向に沿った長さ（Ｌ８０）と略同一であり、第１側面部の背面側の端部をなす辺部と第６折れ線との間の第２折れ線の方向に沿った長さ（Ｌ７１）が、第２側面部の背面側の端部をなす辺部と突状部の正面側の端部をなす辺部（８２ｇ）との間の第３折れ線の方向に沿った長さ（Ｌ８１）とが略同一であるとしてもよい。
【００５１】
また、第１６には、上記第１５の構成において、接着・折返し工程と第２接着工程の間に、第１底面部を内側正面部に対して第１折れ線を介して折り返し、第２底面部を内側第１側面部に対して第２折れ線を介して折り返し、第３底面部を内側第２側面部に対して第３折れ線を介して折り返し、第４底面部を内側背面部に対して第４折れ線を介して折り返すとともに、第２接着部を第３底面部本体部に対して第８折れ線を介して折り返す折り返し工程と、第１接着部と第４底面部における第１接着部が接着する領域のいずれかに接着剤を塗布する接着剤塗布工程とを有し、第２接着工程と第３接着工程の間に、第２接着部と第１底面部における第２接着部が接着する領域のいずれかと、内側糊代部と内側第２側面部における内側糊代部が接着する領域のいずれかと、外側糊代部と外側背面部における外側糊代部が接着する領域のいずれかに接着剤を塗布する第２接着剤塗布工程とを有することを特徴とする。
【００５２】
また、第１７の構成として、上記第１５又は第１６の構成において、内側後正面部の内側第２側面部側の辺部（１２ｆ）と内側前正面部と内側第２側面部間の折れ線の間の左右方向の長さ（Ｌ１２ｆ）が、内側後正面部の内側第１側面部側の辺部（１２ｇ）と内側前正面部と内側第１側面部間の折れ線の間の左右方向の長さ（Ｌ１２ｇ）よりも長く形成され、包装箱を立体状に組み立てるとともに、傾斜部が第１起立部と第２起立部と第３起立部の少なくともいずれかに接した状態で、傾斜部の内側第２側面部側の辺部（１４ａ）が内側糊代部に接するように、傾斜部の内側第２側面部側の辺部（１４ａ）が第１１折れ線に対して鈍角となるように、該傾斜部の内側第２側面部側の辺部が、第１１折れ線に対して傾斜していることを特徴とするものとしてもよい。
【００５３】
また、第１８の構成として、上記第１５から第１８までのいずれかの構成において、展開状態の内箱部において、第１接着部と第２底面部本体部が切目線（７８Ｋ）を介して連設され、製造された包装箱が、折り畳まれた状態から第１角度と第２角度を大きくすることにより第１接着部と第２底面部本体部間の該切目線が破断することを特徴とするものとしてもよい。
【発明の効果】
【００５４】
本発明に基づく箱体、包装箱及び包装箱の製造方法によれば、箱体（包装箱）の組立て状態では、第１起立部が第２底面部本体部に対して折曲した状態になり、第２起立部が第１接着部に対して折曲した状態となり、第３起立部が第３底面部本体部に対して折曲した状態となることにより、第１起立部と第２起立部と第３起立部が起立した状態となり、傾斜部は、第１起立部と第２起立部と第３起立部の少なくともいずれかに接して支持されるので、傾斜部が傾斜方向に長く形成されたり、重量の重い被収納物を載せた場合でも、傾斜部が下方に撓むことなく、被収納物の傾斜状態での陳列を行なうことができる。
【図面の簡単な説明】
【００５５】
【図１】包装箱の前方斜視図である（実施例１、実施例２）。
【図２】包装箱の後方斜視図である（実施例１、実施例２）。
【図３】包装箱の底面図である（実施例１、実施例２）。
【図４】包装箱の内箱部の構成を示す前方斜視図である（実施例１）。
【図５】包装箱の内箱部の構成を示す後方斜視図である（実施例１）。
【図６】包装箱における内箱部の展開図である（実施例１）。
【図７】図６の要部拡大図である。
【図８】図６の要部拡大図である。
【図９】包装箱における外箱部の展開図である（実施例１、実施例２）。
【図１０】包装箱の製造工程を示す説明図である（実施例１）。
【図１１】包装箱の製造工程を示す説明図である（実施例１）。
【図１２】包装箱の製造工程を示す説明図である（実施例１）。
【図１３】包装箱の製造工程を示す説明図である（実施例１）。
【図１４】包装箱の製造工程を示す説明図である（実施例１）。
【図１５】内箱部が組み立てられる途中の状態を示す平面図である。
【図１６】内箱部が組み立てられた状態を示す平面図である。
【図１７】内箱部が組み立てられた状態を示す説明図である。
【図１８】包装箱の使用状態を示す斜視図である。
【図１９】包装箱の使用状態を示す斜視図である。
【図２０】包装箱の使用状態を示す斜視図である。
【図２１】包装箱の使用状態を示す斜視図である。
【図２２】包装箱における内箱部の展開図である（実施例２）。
【図２３】包装箱の内箱部の構成を示す前方斜視図である（実施例２）。
【図２４】包装箱の内箱部の構成を示す後方斜視図である（実施例２）。
【発明を実施するための形態】
【００５６】
本発明においては、商品の載置面を傾斜させることができる箱体において、該載置面が傾斜方向に長く形成されたり、重量の重い商品を載せた場合でも、載置面が下方に撓むことなく、商品の傾斜状態での陳列を行なうことができる箱体を提供するという目的を以下のようにして実現した。
【実施例１】
【００５７】
本発明に基づく実施例１の包装箱Ｐは、図１〜図９等に示すように構成され、内箱部Ａと、外箱部Ｂとを有していて、内箱部Ａと外箱部Ｂのそれぞれが１枚のシート状のブランク（具体的には段ボール（特に、両面段ボール）であり、厚紙等でもよい）により形成されている。なお、両面段ボールにおける中芯の段の方向は、図６、図９に示す円内に示す方向（スリーブ状部５、２０５の下辺に対して直角の方向）である。
【００５８】
内箱部（箱体）Ａは、全体に上部が開口した容器状を呈し、図４〜図８等に示すように、スリーブ状部（内側スリーブ状部、側面構成部）５と、傾斜部１４と、支持部１６と、底面部５０とを有している。スリーブ状部５は、内箱部Ａを箱状に組み立てた状態（内箱部Ａの組立て状態）では、底面部５０の周囲から立設して形成され、正面部（内側正面部）１０と、側面部（右側面部、内側右側面部、第１側面部、内側第１側面部）２０と、側面部（左側面部、内側左側面部、第２側面部、第２内側側面部）３０と、背面部（内側背面部）４０と、糊代部（内側糊代部）４９とを有していて、その展開状態は、図６に示すように形成されている。
【００５９】
ここで、正面部１０は、全体に方形状の上側に切欠部Ｋ１０を設けた凹状を呈し、前正面部１１と前正面部１１の背面側に接着された後正面部１２とを有している。この切欠部Ｋ１０は、内箱部Ａに収納された被収納物を内箱部Ａの正面側から視認したり、内箱部Ａの正面側から商品を取り出す際に用いられる。
【００６０】
なお、切欠部Ｋ１０の代わりに開口部としてもよい。つまり、スリーブ状部５の上下方向の高さを図示する構成よりも高くして、正面部１０に開口部を形成し、該開口部から被収納物を視認したり、被収納物を取り出すことができるようにしてもよい。切欠部Ｋ１０の代わりに開口部を形成する場合には、前正面部１１と後正面部１２にそれぞれ開口部を形成して、前正面部１１と後正面部１２とを接着した状態で２つの開口部が重なって１つの開口部が設けられる。
【００６１】
前正面部１１は、方形状（具体的には、横長長方形状）の上側に切欠部Ｋ１１を設けた凹状を呈し、切欠部Ｋ１１は、後正面部１２との間の折れ線Ｃ５１の右側面側の端部から連設された直線状の辺部１１ａと、辺部１１ａの下端から連設され略円弧状を呈する辺部１１ｂと、辺部１１ｂの辺部１１ａと反対側の端部から連設された直線状の辺部１１ｃと、辺部１１ｃの右側面側の端部から連設され略円弧状を呈する辺部１１ｄと、辺部１１ｄの辺部１１ｃと反対側の端部から連設され後正面部１２との間の折れ線Ｃ５２の左側面側の端部まで形成された直線状を呈する辺部１１ｅとから構成されている。辺部１１ａは、下方に行くほど右側面側となるように傾斜し、辺部１１ｅは、下方に行くほど左側面側となるように傾斜し、辺部１１ａと辺部１１ｅはテーパ状を呈している。辺部１１ｃは、前正面部１１の下辺と平行に形成されている。
【００６２】
なお、折れ線Ｃ５１、Ｃ５２は、前正面部１１の下辺（前底面部６０との間の折れ線Ｃ２１に沿った辺部）と平行であり、前正面部１１の左辺（側面部３０との間の折れ線Ｃ１に沿った辺部）と前正面部１１の右辺（側面部２０との間の折れ線Ｃ２に沿った辺部）は平行となっている。
【００６３】
また、後正面部１２は、前正面部１１の上辺から折れ線（第１０折れ線）Ｃ５１、Ｃ５２を介して連設され、折れ線Ｃ５１、Ｃ５２を介して折り返した状態で前正面部１１の背面に接着されている。後正面部１２は、方形状（具体的には、横長長方形状）の上側に切欠部Ｋ１２を設けた凹状を呈し、切欠部Ｋ１２は切欠部Ｋ１１と同大同形状を呈し（内箱部Ａの展開状態では、切欠部Ｋ１２は折れ線Ｃ５１、Ｃ５２に沿った中心線を介して切欠部Ｋ１１と線対称に形成されている）、折れ線Ｃ５１の右側面側の端部から連設された直線状の辺部１２ａと、辺部１２ａの下端から連設され略円弧状を呈する辺部１２ｂと、辺部１２ｂの辺部１２ａと反対側の端部から連設された直線状の辺部１２ｃと、辺部１２ｃの右側面側の端部から連設され略円弧状を呈する辺部１２ｄと、辺部１２ｄの辺部１２ｃと反対側の端部から連設され折れ線Ｃ５２の左側面側の端部まで形成された直線状を呈する辺部１２ｅとから構成されている。
【００６４】
後正面部１２の左側面側の辺部１２ｆは、折れ線Ｃ５１の左側面側の端部から折れ線Ｃ５１に対して直角に形成され、該辺部１２ｆは、折れ線Ｃ１よりも右側面側に位置している。また、後正面部１２の右側面側の辺部１２ｇは、折れ線Ｃ５２の右側面側の端部から折れ線Ｃ５２に対して直角に形成され、該辺部１２ｇは、折れ線Ｃ２よりも左側面側に位置している。
【００６５】
なお、傾斜部１４の左側面側の辺部１４ａが傾斜している関係で、折れ線Ｃ１と辺部１２ｆ間の左右方向の長さＬ１２ｆは、折れ線Ｃ２と辺部１２ｇ間の左右方向の長さＬ１２ｇよりも長く形成されている。長さＬ１２ｆが長さＬ１２ｇよりも長く形成されているのは、包装箱Ｐの製造に際して、側面部３０を正面部１０側に折り返す際に傾斜部１４が邪魔になるのを防止するためである。また、後正面部１２の上辺（折れ線Ｃ５１、Ｃ５２に沿った辺部）と後正面部１２の下辺（折れ線Ｃ６に沿った辺部）は互いに平行となっている。
【００６６】
また、側面部２０は、前正面部１１の右側面側の端部から折れ線Ｃ２を介して連設され、方形状における上側に台形形状を連設した形状を呈し、図６に示すように、側面部２０の上辺は、前正面部１１の上辺から連続して水平方向に形成された（つまり、側面部２０の下辺と平行に形成された）直線状の辺部２０ａと、辺部２０ａの背面側の端部から連設され、背面側に向けて上方に傾斜して形成された直線状の辺部２０ｂと、辺部２０ｂの上端から連設され側面部２０の下辺と平行に形成された辺部２０ｃと、辺部２０ｃの背面側の端部から連設され背面側に向けて下方に傾斜して形成された直線状の辺部２０ｄと、辺部２０ｄの下端から連設され、側面部２０の下辺と平行に形成された辺部２０ｅとを有し、辺部２０ａと辺部２０ｅは同一直線上に形成されている。この側面部２０は、本体部（内側右側面部本体部）２２と、分離部（第１分離部）２４とを有している。
【００６７】
また、分離部２４は、側面部２０に形成された切目線（第１切目線）２４ａと開口部２４ｂにより区画された領域であり、切目線２４ａは、横方向に間隔を介して設けられた円弧状の切目線２４ａ−１、２４ａ−２（切目線２４ａ−１と切目線２４ａ−２とは互いに左右対称に形成されている）と、切目線２４ａ−１の下端と２４ａ−２の下端を結ぶ横方向（側面部２０の下辺と平行な方向）の直線状の切目線２４ａ−３とを有し、開口部２４ｂは、横長の長方形状を呈し、開口部２４ｂにおける一対の下側の角部のうちの正面側の角部と切目線２４ａ−２が接続し、開口部２４ｂにおける一対の下側の角部のうちの背面側の角部と切目線２４ａ−１が接続している。切目線２４ａと開口部２４ｂにより囲まれた領域が分離部２４となる。本体部２２は、側面部２０において分離部２４を除いた領域である。つまり、側面部２０の一部である分離部２４が本体部２２と切目線２４ａを介して分離可能となっている。分離部２４は、側面部２０における横方向の略中央で上下方向における中央やや下側の位置に形成されている。切目線２４ａ−１、２４ａ−２は、ミシン目状の切目線（間隔をおきながら連続して形成された複数の切込みにより形成された切目線）であり、切目線２４ａ−３は、連続した切込みからなる切目線である。つまり、切目線２４ａは、全体として、切断予定線である。
【００６８】
この分離部２４の形成位置は、外箱部Ｂの片部２２４の裏側の領域であり、分離部２４は片部２２４の裏側に接着され、片部２２４の上端を外側かつ下方に回動させることにより、分離部２４も片部２２４の裏側に接着したまま切目線２４ａが切断されて、分離部２４が本体部２２から分離するように形成されている。分離部２４は、片部２２４よりも小さく形成されていて、側面視において、分離部２４の外形が片部２２４の外形よりもはみ出すことがない。
【００６９】
また、開口部２４ｂは、外箱部Ｂにおける片部２２６を押し込むことができるための空間として形成されていて、片部２２６を押し込む際の支障とならないように、開口部２４ｂは、片部２２６よりも大きく形成され、側面視において、片部２２６が開口部２４ｂよりはみ出すことがない。
【００７０】
また、側面部３０は、前正面部１１の左側面側の端部から折れ線Ｃ１を介して連設され、方形状における上側に台形形状を連設した形状を呈している。この側面部３０は、本体部（内側左側面部本体部）３２と、分離部（第２分離部）３４とを有している。
【００７１】
この側面部３０の構成は、内箱部Ａの組立て状態では、側面部２０と前後方向に垂直な仮想的な平面である中心面を介して対称に形成されている。側面部３０の上辺における背面側の端部は、背面部４０の上辺と同じ高さとなっている。
【００７２】
すなわち、分離部３４は、切目線（第２切目線）３４ａと開口部３４ｂとにより区画された領域であり、切目線３４ａは、横方向に間隔を介して設けられた円弧状の切目線３４ａ−１、３４ａ−２と、切目線３４ａ−１の下端と３４ａ−２の下端を結ぶ横方向（側面部３０の下辺と平行な方向）の直線状の切目線３４ａ−３とを有し、開口部３４ｂは、横長の長方形状を呈し、開口部３４ｂにおける一対の下側の角部のうちの正面側の角部と切目線３４ａ−２が接続し、開口部３４ｂにおける一対の下側の角部のうちの背面側の角部と切目線３４ａ−１が接続している。切目線３４ａと開口部３４ｂにより囲まれた領域が分離部３４となる。本体部３２は、側面部３０において分離部３４を除いた領域である。つまり、側面部３０の一部である分離部３４が本体部３２と切目線３４ａを介して分離可能となっている。分離部３４は、側面部３０における横方向の略中央で上下方向における中央やや下側の位置に形成されている。切目線３４ａ−１、３４ａ−２は、ミシン目状の切目線（間隔をおきながら連続して形成された複数の切込みにより形成された切目線）であり、切目線３４ａ−３は、連続した切込みからなる切目線である。つまり、切目線３４ａは、全体として、切断予定線である。
【００７３】
この分離部３４の形成位置は、外箱部Ｂの片部２３４の裏側の領域であり、分離部３４は片部２３４の裏側に接着され、片部２３４の上端を外側かつ下方に回動させることにより、分離部３４も片部２３４の裏側に接着したまま切目線３４ａが切断されて、分離部３４が本体部３２から分離するように形成されている。分離部３４は、片部２３４よりも小さく形成されていて、側面視において、分離部３４の外形が片部２３４の外形よりもはみ出すことがない。
【００７４】
また、開口部３４ｂは、外箱部Ｂにおける片部２３６を押し込むことができるための空間として形成されていて、片部２３６を押し込む際の支障とならないように、開口部３４ｂは、片部２３６よりも大きく形成され、側面視において、片部２３６が開口部３４ｂよりはみ出すことがない。
【００７５】
また、背面部４０は、側面部２０の背面側の端部から折れ線Ｃ３を介して連設され、全体には方形状を呈している。この背面部４０の横幅は、正面部１０の横幅と同一に形成され、背面部４０の縦幅は、前正面部１１の縦幅（最大縦幅）（折れ線Ｃ５１、Ｃ５２と折れ線Ｃ２１間の長さ）と同一に形成されている。
【００７６】
なお、内箱部Ａの展開状態において、折れ線Ｃ１と折れ線Ｃ２と折れ線Ｃ３と折れ線Ｃ４は互いに平行となっている。また、前正面部１１と側面部２０、３０と背面部４０が、内側面部に当たる。
【００７７】
また、糊代部４９は、背面部４０の左側面側の端部から折れ線Ｃ４を介して連設され、縦方向に細長の帯状台形形状を呈している。この糊代部４９は、その外側の面が側面部３０の背面側の端部領域の内側の面に接着されている。
【００７８】
また、傾斜部（内底部としてもよい）１４は、後正面部１２の下辺（折れ線Ｃ５１、Ｃ５２とは反対側の辺部）から折れ線（第１１折れ線）Ｃ６を介して連設され、略方形状における先端側に脚部１８−１、１８−２のための切欠部を有する形状を呈している。
【００７９】
すなわち、傾斜部１４は、図８に示すように、折れ線Ｃ６の左側面側の端部と辺部１２ｆの端部から連設された左側面側の辺部１４ａと、折れ線Ｃ６の右側面側の端部と辺部１２ｇの端部から連設された右側面側の辺部１４ｂと、折れ線Ｃ６に沿った辺部と反対側の辺部（折れ線Ｃ７１に沿った辺部と折れ線Ｃ７２に沿った辺部と折れ線Ｃ７３に沿った辺部）と、折れ線Ｃ７１と折れ線Ｃ７２間の略コ字状の辺部１４ｃ（内箱部Ａの展開状態で脚部１８−１の辺部１８−１ａ〜１８−１ｅに沿った辺部）と、折れ線Ｃ７２と折れ線Ｃ７３間の略コ字状の辺部１４ｄ（内箱部Ａの展開状態で脚部１８−２の辺部１８−２ａ〜１８−２ｅに沿った辺部）とを有している。辺部１４ｃと辺部１４ｄに沿って切込みＫ１４ｃ、Ｋ１４ｄが形成され、脚部１８−１と傾斜部１４は切込みＫ１４ｃを介して隣接し、脚部１８−２と傾斜部１４は切込みＫ１４ｄを介して隣接している。切込みＫ１４ｃは、折れ線Ｃ７１、Ｃ７２、Ｃ７３における隣接する折れ線Ｃ７１と折れ線Ｃ７２間に形成され、切込みＫ１４ｄは、折れ線Ｃ７１、Ｃ７２、Ｃ７３における隣接する折れ線Ｃ７２と折れ線Ｃ７３間に形成されている。
【００８０】
なお、辺部１４ａは、直線状を呈し、折れ線Ｃ６側から支持部１６側にいくほど左側面側となるように折れ線Ｃ６に対して傾斜している。つまり、辺部１４ａと折れ線Ｃ６間の角度は、鈍角となっている。このように辺部１４ａが傾斜しているのは、包装箱Ｐの製造に際して、側面部２３０を正面部２１０側に折れ線Ｃ１１を介して折り返すとともに、側面部３０を正面部１０側に折れ線Ｃ１を介して折り返して、図１３の状態から図１４の状態にする際に、辺部１４ａと折れ線Ｃ１、Ｃ１１との間に間隔を設けて、側面部３０と側面部２３０を折り返すに傾斜部１４が邪魔にならないようにするためであり、また、長さＬ１２ｆが長さＬ１２ｇよりも長く形成されているので、傾斜部１４の左右方向の長さをなるべく長く確保するためである。また、辺部１４ｂは、直線状を呈し、折れ線Ｃ６に対して直角方向に形成されている。
【００８１】
また、折れ線Ｃ７１に沿った辺部は、辺部１４ａの折れ線Ｃ６とは反対側の端部から連設され、折れ線Ｃ７３に沿った辺部は、辺部１４ｂの折れ線Ｃ６とは反対側の端部から連設されている。
【００８２】
略コ字状の辺部１４ｃは、折れ線Ｃ７１に沿った辺部の右側面側の端部から折れ線Ｃ７２に沿った辺部の左側面側の端部まで形成され、略コ字状の辺部１４ｄは、折れ線Ｃ７２に沿った辺部の右側面側の端部から折れ線Ｃ７３に沿った辺部の左側面側の端部まで形成されている。折れ線Ｃ７１に沿った辺部と折れ線Ｃ７２に沿った辺部と折れ線Ｃ７３に沿った辺部は、同一直線上に形成され、これらの辺部は、折れ線Ｃ６と平行に形成されている。
【００８３】
なお、傾斜部１４の長手方向の長さ（折れ線Ｃ６に沿った辺部と折れ線Ｃ７１、Ｃ７２、Ｃ７３に沿った辺部間の長さ）Ｌ１４は、傾斜部１４が底面部５０の起立部７４、７６、８８に接して水平方向に対して傾斜した状態で支持部１６が背面部４０の内側の面に接する長さに形成されている。
【００８４】
また、支持部（傾斜部支持部）１６は、傾斜部１４から折れ線（第１２折れ線）Ｃ７１、Ｃ７２、Ｃ７３を介して連設され、支持部１６は、連結部１７と、連結部１７から突出した脚部１８−１、１８−２とを有している。
【００８５】
連結部１７は、傾斜部１４から折れ線Ｃ７１、Ｃ７２、Ｃ７３を介して連設され（つまり、同一直線上に位置する複数の折れ線を介して連設されている）、左右方向に延びた帯状を呈し、傾斜部１４と反対側の左右両側の角部が円弧状に面取りされた横長長方形状を呈している。連結部１７の先端側の辺部１７ａは、折れ線Ｃ７１、Ｃ７２、Ｃ７３と平行に形成されている。
【００８６】
また、脚部１８−１は、連結部１７から辺部１７ａと反対側に突出し、脚部１８−１は、折れ線Ｃ７１の右側面側の端部から折れ線Ｃ７１と直角に直線状に形成された辺部１８−１ａと、辺部１８−１ａの端部から連設された略円弧状の辺部１８−１ｂと、辺部１８−１ｂの端部から連設され左右方向に直線状に形成された辺部１８−１ｃと、辺部１８−１ｃの右側面側の端部から連設された略円弧状の辺部１８−１ｄと、辺部１８−１ｄの端部から連設され辺部１８−１ａと平行に形成され折れ線Ｃ７２の左側面側の端部にまで形成された辺部１８−１ｅとを有している。
【００８７】
また、脚部１８−２は、脚部１８−１と同様の構成であり、連結部１７から辺部１７ａと反対側に突出し、脚部１８−２は、折れ線Ｃ７３の左側面側の端部から折れ線Ｃ７３と直角に直線状に形成された辺部１８−２ａと、辺部１８−２ａの端部から連設された略円弧状の辺部１８−２ｂと、辺部１８−２ｂの端部から連設され左右方向に直線状に形成された辺部１８−２ｃと、辺部１８−２ｃの左側面側の端部から連設された略円弧状の辺部１８−２ｄと、辺部１８−２ｄの端部から連設され辺部１８−２ａと平行に形成され折れ線Ｃ７２の右側面側の端部にまで形成された辺部１８−２ｅとを有している。
【００８８】
辺部１８−１ｃと辺部１８−２ｃは、折れ線Ｃ７１、Ｃ７２、Ｃ７３の方向と平行に形成され、辺部１８−１ｃと辺部１８−２ｃとは同一直線上に形成されている。
【００８９】
なお、脚部１８−１、１８−２における左右方向に対する直角方向の長さは、傾斜部１４が起立部７４、７６、８８に接して連結部１７の背面側の面が背面部４０の内側の面に接した状態で、脚部１８−１、１８−２の下端が底面部５０（特に、後底面部９０）に接する長さに形成されている。
【００９０】
なお、前正面部１１と後正面部１２と傾斜部１４と支持部１６からなる構成は、それらの展開状態において左右対称に形成されている。
【００９１】
次に、底面部５０は、いわゆるワンタッチ底を変形した構成であり、前正面部１１の下辺から折れ線（第１折れ線）Ｃ２１を介して連設された前底面部６０と、側面部２０の下辺から折れ線（第２折れ線）Ｃ２２を介して連設された右底面部７０と、側面部３０の下辺から折れ線（第３折れ線）Ｃ２０を介して連設された左底面部８０と、背面部４０の下辺から折れ線（第４折れ線）Ｃ２３を介して連設された後底面部９０とを有している。
【００９２】
ここで、前底面部（第１底面部）６０は、先端側にいくほど幅狭となる略台形形状に形成され、その上面の一部が内箱部Ａの内底面の一部を形成している。この前底面部６０は、底面部５０の組立て状態においては、後底面部９０と底面部５０の中心位置（底面部５０の対角の角部を結ぶ２つの直線の交点）を介して点対称に形成されている。
【００９３】
前底面部６０は、図６に示すように、折れ線Ｃ２１に沿った辺部６０ｚと、辺部６０ｚの右側面側の端部から連設され、前正面部１１の下辺に対して４５度（略４５度としてもよい）の角度で傾斜した直線状の辺部６０ａと、辺部６０ａの端部から連設され、折れ線Ｃ２１と平行（略平行としてもよい）に形成された直線状の辺部６０ｂと、辺部６０ｂの端部から連設され、略円弧状の辺部６０ｃと、辺部６０ｃの端部から辺部６０ｚの左側面側の端部まで連設された直線状の辺部６０ｄとを有している。
【００９４】
また、右底面部（第２底面部）７０は、図７に示すように、側面部２０の下辺から折れ線Ｃ２２を介して連設された本体部７２と、本体部７２から折れ線（第５折れ線）Ｃ２４を介して連設された起立部７４と、起立部７４から折れ線（第６折れ線）Ｃ２５を介して連設された起立部７６と、起立部７６から折れ線（第７折れ線）Ｃ２６を介して連設された接着部７８とを有している。
【００９５】
本体部（第２底面部本体部）７２は、折れ線Ｃ２２に沿った辺部７２ｚと、辺部７２ｚの正面側の端部から連設され辺部７２ｚに対して傾斜して形成された直線状の辺部７２ａと、辺部７２ａの端部から連設され折れ線Ｃ２２の方向に対して略直角の（具体的には、折れ線Ｃ２２から離れるに従い背面側となるように若干傾斜している）直線状の辺部７２ｂと、辺部７２ｂの端部から連設され背面側に曲がる略円弧状に形成された辺部７２ｃと、辺部７２ｃの端部から連設され、折れ線Ｃ２２の方向に対して傾斜する（背面側にいくほど折れ線Ｃ２２側となるように傾斜する）直線状の辺部７２ｄと、辺部７２ｄの端部から連設され、折れ線Ｃ２２の方向に対して直角（略直角としてもよい）に折れ線Ｃ２２側に向けて形成された辺部（係合用辺部）７２ｅと、辺部７２ｅの端部から連設され、折れ線Ｃ２２と平行に形成された直線状の辺部７２ｆ（折れ線Ｃ２４に沿った辺部）と、辺部７２ｆの端部から連設され、辺部７２ｆに対して略直角の（具体的には、折れ線Ｃ２２に近づく従い背面側となるように傾斜している）辺部７２ｇと、辺部７２ｇの端部から連設され、背面側にいくほど折れ線Ｃ２２側となるように折れ線Ｃ２２の方向に対して傾斜する直線状の辺部７２ｈと、辺部７２ｈの端部から折れ線Ｃ２２の背面側の端部にまで形成され、背面側にいくほど折れ線Ｃ２２の方向に対して傾斜する辺部７２ｉとを有している。
【００９６】
辺部７２ａと辺部７２ｉは、辺部７２ｚ（つまり、折れ線Ｃ２２）に対して４５度（略４５度としてもよい）の角度で傾斜している。また、辺部７２ｂは、辺部７２ａから辺部７２ａの方向に対して折れ線Ｃ２２側とは反対側に屈曲して形成され、辺部７２ｉは、辺部７２ｈから辺部７２ｈの方向に対して折れ線Ｃ２２側に屈曲して形成されている。また、辺部７２ｇの折れ線Ｃ２２の方向に対する角度（鋭角）（第１角度）と辺部７２ｈの折れ線Ｃ２２の方向に対する角度（鋭角）（第２角度）と辺部７２ｉの折れ線Ｃ２２の方向に対する角度（鋭角）（第３角度）とを比較すると、第２角度は、第３角度よりも小さく、第３角度は、第１角度よりも小さくなっている。
【００９７】
また、辺部７２ｅと辺部７２ｆ（折れ線Ｃ２４に沿った辺部）は、直角をなすが、辺部７２ｅが起立部８８と係合すればよいので、辺部７２ｆに対して厳密に直角でなくても、略直角であればよい。
【００９８】
また、起立部（第１起立部）７４は、折れ線Ｃ２４に沿った直線状の辺部７４ａと、折れ線Ｃ２４の正面側の端部から連設され、折れ線Ｃ２４に対して直角の直線状を呈する辺部７４ｂと、辺部７４ｂの端部から連設され、折れ線Ｃ２４の方向に対して傾斜した（背面側にいくほど折れ線Ｃ２４との距離が長くなるように傾斜した）直線状の辺部７４ｃと、辺部７４ｃの端部から折れ線Ｃ２２の右側面側の端部まで形成され、折れ線Ｃ２４の方向に対して直角の直線状を呈する辺部７４ｄとを有している。辺部７４ｂは、右底面部７０の展開状態では、切込みを介して辺部７２ｅと隣接している。
【００９９】
辺部（第１傾斜辺部）７４ｃの折れ線Ｃ２４の方向に対する傾斜角度は、折れ線Ｃ２４の方向に対して正面側から背面側に向けて上側となるように傾斜し、傾斜部１４の底面側の面が起立部７４に接するとともに脚部１８−１、１８−２の下端が後底面部９０の上面に接して、傾斜部１４が傾斜した状態（以下「傾斜部１４の傾斜状態」とする）における傾斜部１４の下側の面のスリーブ状部５の下辺（前正面部１１の下辺と側面部２０、３０の下辺と背面部４０の下辺）により囲まれる仮想平面（内箱部Ａの設置面としてもよい）に対する傾斜角度と同一（略同一としてもよい）に形成され、これにより、傾斜部１４の傾斜状態において、傾斜部１４の下側の面が辺部７４ｃと沿った状態で辺部７４ｃと接することになる。この起立部７４は、内箱部Ａの組立て状態では、本体部７２に対して略直角（直角としてもよい）に起立した状態となる。また、内箱部Ａの組立て状態では、辺部７４ｃは、起立部８８の辺部８８ｃに沿った状態となる。
【０１００】
また、起立部（第２起立部）７６は、折れ線Ｃ２５に沿った直線状の辺部７６ａと、辺部７６ａの辺部７４ｃ側の端部から連設され、辺部７６ａに対して直角の直線状を呈する辺部７６ｂと、辺部７６ｂの端部から連設され、辺部７６ｂに対して鈍角に傾斜した直線状の辺部７６ｃと、辺部７６ｃの端部から辺部７６ａまで形成され、辺部７６ｂに対して平行に形成された直線状の辺部７６ｄとを有している。
【０１０１】
この起立部７６は、内箱部Ａの組立て状態では、起立部７４に対して直角（略直角としてもよい）となり接着部７８に対して略直角（直角としてもよい）に起立した状態となる。
【０１０２】
また、接着部（第１接着部）７８は、折れ線Ｃ２６に沿った直線状の辺部７８ａと、辺部７８ａの正面側の端部から連設され、辺部７８ａと略直角の（具体的には、折れ線Ｃ２６から離れるに従い背面側となるように若干傾斜している）直線状の辺部７８ｂと、辺部７８ｂの端部から連設され、辺部７８ｂに対して略直角（具体的には、辺部７８ｂに対して鈍角をなす）の直線状の辺部７８ｃと、辺部７８ｃの端部から連設され、辺部７８ｃに対して略直角（具体的には、辺部７８ｃに対して鈍角をなす）の直線状の辺部７８ｄと、辺部７８ｄの端部から辺部７８ａの端部まで形成され、辺部７８ａに対して略直角（具体的には、辺部７８ａに対して鈍角をなす）の直線状の辺部７８ｅとを有している。
【０１０３】
辺部７８ｂと辺部７２ｇは、右底面部７０の展開状態では、直線状の切込みを介して隣接し、辺部７８ｃと辺部７２ｈは、右底面部７０の展開状態では、直線状の切目線（切断予定線）７８Ｋを介して隣接している。なお、辺部７８ｂと辺部７２ｇ間の切込みと辺部７８ｃと辺部７２ｈ間の切目線７８Ｋの間には、アールが形成されている。
【０１０４】
接着部７８は、後底面部９０の底面に接着され、接着部７８が後底面部９０に接着された状態では、後底面部９０の先端側の辺部９０ｂは折れ線Ｃ２６と若干の間隔を介して折れ線Ｃ２６に沿った状態となる。内箱部Ａの組立て状態においては、辺部９０ｂは、折れ線Ｃ２６の背面側に折れ線Ｃ２６に沿った状態となる。
【０１０５】
なお、右底面部７０の展開状態において、折れ線Ｃ２４と折れ線Ｃ２６は折れ線Ｃ２２に対して平行であり、折れ線Ｃ２５は、折れ線Ｃ２４及び折れ線Ｃ２６と直角となっている。
【０１０６】
また、左底面部（第３底面部）８０は、図７に示すように、側面部３０の下辺から折れ線Ｃ２０を介して連設された本体部８２と、本体部８２から折れ線（第８折れ線）Ｃ２７を介して連設された接着部８６と、本体部８２から折れ線（第９折れ線）Ｃ２８、Ｃ２９を介して連設された起立部８８とを有している。
【０１０７】
本体部（第３底面部本体部）８２は、折れ線Ｃ２０に沿った辺部８２ｚと、辺部８２ｚの正面側の端部から連設され辺部８２ｚに対して傾斜して形成された直線状の辺部８２ａと、辺部８２ａの端部から連設され折れ線Ｃ２０の方向に対して略直角の（具体的には、折れ線Ｃ２０から離れるに従い背面側となるように若干傾斜している）直線状の辺部８２ｂと、辺部８２ｂの端部から連設され、折れ線Ｃ２０と平行な直線状の辺部８２ｃと、辺部８２ｃの端部から連設され、辺部８２ｃに対して直角の直線状の辺部８２ｄと、辺部８２ｄの端部から連設され、辺部８２ｄに対して直角の直線状の辺部８２ｅと、辺部８２ｅの端部から連設され、辺部８２ｅに対して鈍角に形成された直線状の辺部８２ｆと、辺部８２ｆの端部から連設され、辺部８２ｆに対して鈍角に形成されるとともに辺部８２ｄと平行に形成された直線状の辺部８２ｇと、辺部８２ｇの端部から連設され、辺部８２ｇと直角をなし辺部８２ｃの延長線上に形成された辺部８２ｈと、辺部８２ｈの端部から辺部８２ｚの正面側の端部まで形成され辺部８２ｚに対して傾斜して形成された辺部８２ｉとを有している。
【０１０８】
辺部８２ａと辺部８２ｉは、辺部８２ｚ（つまり、折れ線Ｃ２０）に対して４５度（略４５度としてもよ）の角度で傾斜している。辺部８２ｄと辺部８２ｅと辺部８２ｆと辺部８２ｇにより突状部８４が形成され、本体部８２は、側面部３０から折れ線Ｃ２０を介して連設された主本体部８３と、主本体部８３の側面部３０とは反対側の辺部から突出して形成された突状部８４とを有している。
【０１０９】
内箱部Ａを折り畳んだ状態から内箱部Ａを組み立てる際に、突状部８４における辺部８２ｆは、起立部７４と起立部７６がなす角部７５（図１５参照）に沿ってスライドし、辺部８２ｇが起立部７４と起立部７６がなす角部７５と係合する。
【０１１０】
接着部（第２接着部）８６は、本体部８２の辺部８２ｉから折れ線Ｃ２７を介して連設され、接着部８６は、折れ線Ｃ２７に沿った辺部８６ａと、辺部８６ａの辺部８２ｈ側の端部から連設され、辺部８６ａと直角（略直角としてもよい）をなす直線状の辺部８６ｂと、辺部８６ｂの端部から連設され、左底面部８０の展開状態において、折れ線Ｃ２０と平行に形成された直線状の辺部８６ｃと、辺部８６ｃの端部から連設され、辺部８６ｃと略直角の直線状の辺部８６ｄと、辺部８６ｄの端部から辺部８６ａの折れ線Ｃ２０側の端部まで連設され、辺部８６ｄに対して鈍角をなす直線状の辺部８６ｅとを有している。辺部８６ａの折れ線Ｃ２０側の端部と辺部８２ｉの折れ線Ｃ２０側の端部の間には間隔が設けられている。接着部８６は、前底面部６０の底面に接着されている。接着部８６が前底面部６０に接着された状態では、辺部８６ｂは、辺部６０ａに沿った状態となる。
【０１１１】
また、起立部（第３起立部）８８は、辺部８２ｃから折れ線Ｃ２８を介して連設されるとともに辺部８２ｈから折れ線Ｃ２９を介して連設され、起立部８８は、折れ線Ｃ２８の背面側の端部から連設され、折れ線Ｃ２８に対して直角をなす直線状の辺部８８ａと、辺部８８ａの端部から連設され、辺部８８ａに対して直角の辺部８８ｂと、辺部８８ｂの端部から連設され、辺部８８ｂに対して鈍角をなす直線状の辺部８８ｃと、辺部８８ｃから辺部８２ｈまで連設され、辺部８８ｃに対して鈍角をなし辺部８２ｈと直角をなす辺部８８ｄと、折れ線Ｃ２８に沿った辺部と、折れ線Ｃ２９に沿った辺部とを有している。また、左底面部３０の展開状態において、起立部８８は、突状部８４と切込みを介して隣接しており、これにより、起立部８８には、突状部８４を形成することによる切欠部が形成されている。内箱部Ａの組立て状態において、辺部８８ｄは辺部７２ｅと係合する。
【０１１２】
また、辺部（第２傾斜辺部）８８ｃは、折れ線Ｃ２８、Ｃ２９の方向に対して正面側から背面側に向けて上側となるように傾斜し、辺部８８ｃの折れ線Ｃ２８、Ｃ２９に対する傾斜角度は、辺部７４ｃの折れ線Ｃ２４の方向に対する傾斜角度と同一（略同一としてもよい）であり、傾斜部１４の傾斜状態における傾斜部１４の下側の面のスリーブ状部５の下辺（前正面部１１の下辺と側面部２０、３０の下辺と背面部４０の下辺）により囲まれる仮想平面（内箱部Ａの設置面としてもよい）に対する傾斜角度と同一（略同一としてもよい）に形成され、これにより、傾斜部１４の傾斜状態において、傾斜部１４の下側の面が辺部８８ｃと沿った状態で辺部８８ｃと接することになる。この起立部８８は、内箱部Ａの組立て状態では、本体部８２に対して略直角（直角としてもよい）に起立した状態となり、起立部７４と互いに対向して起立部７４に接した状態となる。また、内箱部Ａの組立て状態では、辺部８８ｃは、起立部７４の辺部７４ｃに沿った状態となる。
【０１１３】
なお、起立部８８は、折れ線Ｃ２８と折れ線Ｃ２９を介して本体部８２から連設されるとしたが、起立部８８が折れ線Ｃ２９のみから連設されて、突状部８４の正面側のみに起立部８８が形成される構成としてもよい。つまり、底面部５０を組み立てた際に、起立部８８が起立部７４に接する構成であれば、内箱部Ａを組み立てる際に、起立部８８が起立部７４に接して起立するので、起立部８８の前後方向の長さが短くてもよい。
【０１１４】
また、後底面部（第４底面部）９０は、先端側にいくほど幅狭となる略台形形状に形成され、その上面の一部が内箱部Ａの内底面の一部を形成している。
【０１１５】
後底面部９０は、折れ線Ｃ２３に沿った辺部９０ｚと、辺部９０ｚの左側面側の端部から連設され、背面部４０の下辺に対して４５度（略４５度としてもよい）の角度で傾斜した直線状の辺部９０ａと、辺部９０ａの端部から連設され、折れ線Ｃ２３と平行（略平行としてもよい）に形成された直線状の辺部９０ｂと、辺部９０ｂの端部から連設され、略円弧状の辺部９０ｃと、辺部９０ｃの端部から辺部９０ｚの右側面側の端部まで連設された直線状の辺部９０ｄとを有している。
【０１１６】
なお、折れ線Ｃ２０と折れ線Ｃ２８、Ｃ２９間の長さＬ８２は、折れ線Ｃ２２と折れ線Ｃ２４間の長さＬ７２と同一（略同一としてもよい）であり、長さＬ８２と長さＬ７２は、前正面部１１の左右方向の長さ（折れ線Ｃ１と折れ線Ｃ２間の長さとしてもよい）の略半分となっている。
【０１１７】
また、折れ線Ｃ２（側面部２０の正面側の端部をなす辺部としてもよい）と辺部７２ｅとの間の折れ線Ｃ２２の方向に沿った長さＬ７０（内箱部Ａの展開状態において、折れ線Ｃ２と、辺部７２ｅを折れ線Ｃ２２に向けて延長した仮想線で折れ線Ｃ２２に対して直角な仮想線との間の長さ）は、折れ線Ｃ１（側面部３０の正面側の端部をなす辺部としてもよい）と辺部８８ｄとの間の折れ線Ｃ２０の方向に沿った長さＬ８０（内箱部Ａの展開状態において、折れ線Ｃ１と、辺部８８ｄを折れ線Ｃ２０に向けて延長した仮想線で折れ線Ｃ２０に対して直角な仮想線との間の長さ）と同一（略同一としてもよい）であり、折れ線Ｃ３（側面部２０の背面側の端部をなす辺部としてもよい）と折れ線Ｃ２５との間の折れ線Ｃ２２の方向に沿った長さＬ７１（内箱部Ａの展開状態において、折れ線Ｃ３と、折れ線Ｃ２５を折れ線Ｃ２２に向けて延長した仮想線で折れ線Ｃ２２に対して直角な仮想線との間の長さ）は、側面部３０の背面側の辺部３０ａ（側面部３０の背面側の端部をなす辺部としてもよい）と辺部８２ｇとの間の折れ線Ｃ２０の方向に沿った長さＬ８１（内箱部Ａの展開状態において、辺部３０ａと、辺部８２ｇを折れ線Ｃ２０に向けて延長した仮想線で折れ線Ｃ２０に対して直角な仮想線との間の長さ）と同一（略同一としてもよい）となっている。
【０１１８】
上記のように、長さＬ８２と長さＬ７２は同一であり、長さＬ８０と長さＬ７０は同一であるので、内箱部Ａの組立て状態では、辺部８８ｄと辺部７２ｅが係合し、また、長さＬ８２と長さＬ７２は同一であり、長さＬ８１は長さＬ７１は同一であるので、内箱部Ａの組立て状態では、辺部８２ｇと起立部７４と起立部７６間の角部７５とが係合する。
【０１１９】
また、内箱部Ａの組立て状態では、正面部１０と背面部４０とが互いに平行になり、側面部２０と側面部３０とが互いに平行になり、スリーブ状部５を構成する各部材（正面部１０、側面部２０、３０、背面部４０）における隣接する部材は互いに直角（略直角としてもよい）となっている。また、前底面部６０は、前正面部１１に対して略直角（直角としてもよい）となり、右底面部７０の本体部７２は、側面部２０に対して略直角（直角としてもよい）となり、左底面部８０の本体部８２及び接着部８６は、側面部３０に対して略直角（直角としてもよい）となり、後底面部９０は、背面部４０に対して略直角（直角としてもよい）となり、本体部７２の一部（正面側の領域）は前底面部６０の上側に位置し、本体部８２の一部（背面側の領域）は後底面部９０の上側に位置する。
【０１２０】
また、内箱部Ａは、平板状に折り畳むことができ（図１４参照）、内箱部Ａにおいては、正面部１０と側面部３０との角度を小さくし（つまり、直角より小さくする）、背面部４０と側面部２０との角度を小さくさせる（つまり、直角より小さくする）ことにより、四角筒状のスリーブ状部５が扁平になるとともに、底面部５０を構成する各部がスリーブ状部５内に回動して、内箱部Ａが全体に平板状に折り畳むことができる。内箱部Ａを折り畳んだ状態では、底面部５０を構成する各部は、スリーブ状部５内にスリーブ状部５を構成する正面部１０、側面部２０、３０、背面部４０に対して略平行な状態となる。
【０１２１】
次に、外箱部Ｂは、内箱部Ａを覆う箱体であり、図１〜図３、図９等に示すように、スリーブ状部（外側スリーブ状部）２０５と、フラップ部２６０、２９０と、蓋部２７０、２８０とを有していて、その展開状態は、図９に示すように形成されている。
【０１２２】
ここで、スリーブ状部２０５は、組み立てた状態では、四角形状の筒状を呈し、正面部（外側正面部）２１０と、側面部（外側右側面部、外側第１側面部）２２０と、側面部（外側左側面部、外側第２側面部）２３０と、背面部（外側背面部）２４０と、糊代部（外側糊代部）２４２とを有している。なお、正面部２１０と側面部２２０、２３０と背面部２４０が、外側面部に当たる。
【０１２３】
ここで、正面部２１０は、方形状（長方形状）の板状を呈している。この正面部２１０の横幅は、内箱部Ａを収納することができるように、内箱部Ａの左右方向の幅よりも若干大きく形成されている。
【０１２４】
また、側面部２２０は、正面部２１０の右側面側の端部から折れ線Ｃ１２を介して連設され、方形状を呈し、切目線２２２と切目線２２４ａ、２２４ｂが形成されている。
【０１２５】
ここで、切目線２２２は、ミシン目状の切込み（間隔をおきながら形成された切込み）（切断予定線）により形成され、横方向に間隔を介して設けられた円弧状の切目線２２２ａ、２２２ｃと、切目線２２２ａの上端と２２２ｃの上端を結ぶ横方向（側面部２２０の下辺と平行な方向）の直線状の連続した切込みからなる切目線２２２ｂとを有し、全体に下向きの略コ字状を呈している。切目線２２２と、切目線２２２ａ及び切目線２２２ｃの切目線２２２ｂ側とは反対側の端部間を結ぶ折れ線Ｃ２２４により囲まれた領域が、片部（回動片部）２２４となる。
【０１２６】
また、切目線２２２ｂの一方の端部から他方の端部までに途中位置には、切目線２２２ａや切目線２２２ｃが設けられている側とは反対側に、縦方向（切目線２２２ｂと直角方向）に互いに平行な切目線２２４ａ、２２４ｂが形成されている。つまり、切目線２２４ａと切目線２２４ｂは、互いに平行に形成され、連続した切込みにより形成されている。また、切目線２２４ａは、切目線２２２ａよりも内側（横方向の内側）に形成され、切目線２２４ｂは、切目線２２２ｃよりも内側（横方向の内側）に形成されている。以上のように、切目線２２４ａと、切目線２２４ｂと、切目線２２２ｂと、切目線２２４ａ及び切目線２２４ｂの切目線２２２ｂ側とは反対側の端部間を結ぶ直線状の折れ線Ｃ２２６により囲まれた領域が、片部２２６となる。この側面部２２０の横幅は、内箱部Ａを外箱部Ｂ内に収納することができるように、側面部２０の横幅よりも若干大きく形成されている。
【０１２７】
また、側面部２３０は、正面部２１０の正面視における左側の端部から折れ線Ｃ１１を介して連設され、方形状を呈し、切目線２３２と切目線２３４ａ、２３４ｂが形成されている。
【０１２８】
この側面部２３０の構成は、側面部２２０と前後方向に垂直な仮想的な平面である中心面を介して対称に形成されていて、切目線２３２は、切目線２２２と対称に形成され、横方向に間隔を介して設けられた円弧状の切目線２３２ａ、２３２ｃと、切目線２３２ａの上端と２３２ｃの上端を結ぶ横方向（側面部２３０の下辺と平行な方向）の直線状の切目線２３２ｂとを有し、全体に下向きの略コ字状を呈している。切目線２３２と、切目線２３２ａ及び切目線２３２ｃの切目線２３２ｂ側とは反対側の端部間を結ぶ折れ線Ｃ２３４により囲まれた領域が、片部（回動片部）２３４となる。
【０１２９】
また、切目線２３２ｂの一方の端部から他方の端部までに途中位置には、切目線２３２ａや切目線２３２ｃが設けられている側とは反対側に、縦方向（切目線２３２ｂと直角方向）に互いに平行な切目線２３４ａ、２３４ｂが形成されている。つまり、切目線２３４ａと切目線２３４ｂは、互いに平行に形成され、連続した切込みにより形成されている。また、切目線２３４ａは、切目線２３２ａよりも内側（横方向の内側）に形成され、切目線２３４ｂは、切目線２３２ｃよりも内側（横方向の内側）に形成されている。以上のように、切目線２３４ａと、切目線２３４ｂと、切目線２３２ｂと、切目線２３４ａ及び切目線２３４ｂの切目線２３２ｂ側とは反対側の端部間を結ぶ直線状の折れ線Ｃ２３６により囲まれた領域が、片部２３６となる。この側面部２３０の横幅は、内箱部Ａを外箱部Ｂ内に収納することができるように、側面部３０の横幅よりも若干大きく形成されていて、側面部２２０の横幅と同一に形成されている。
【０１３０】
また、背面部２４０は、側面部２２０の背面側の端部から折れ線Ｃ１３を介して連設され、方形状を呈している。この背面部２４０の横幅は、正面部２１０の横幅と同一に形成され、内箱部Ａを外箱部Ｂ内に収納することができるように、内箱部Ａの左右方向の幅よりも若干大きく形成されている。
【０１３１】
また、糊代部２４２は、側面部２３０の背面側の端部から折れ線Ｃ１０を介して連設され、縦方向に細長の帯状台形形状を呈している。この糊代部２４２は、図２に示すように、その内側の面が背面部２４０の外側の面に接着されている。
【０１３２】
また、正面部２１０と側面部２２０、２３０と背面部２４０の縦幅は同一に形成されていて、内箱部Ａの縦幅よりも大きく形成されている。すなわち、外箱部Ｂのスリーブ状部２０５の縦方向の長さは、内箱部Ａのスリーブ状部５の縦方向の長さ（最大長さ）よりも大きく形成されている。
【０１３３】
なお、外箱部Ｂの展開状態において、折れ線Ｃ１０と折れ線Ｃ１１と折れ線Ｃ１２と折れ線Ｃ１３は互いに平行となっている。
【０１３４】
また、フラップ部２６０は、正面部２１０の上端から折れ線を介して連設され、略方形状（略長方形状）を呈し、長方形状における両側の先端側の角部を面取りした形状を呈している。
【０１３５】
また、蓋部２７０は、側面部２２０の上端から折れ線を介して連設され、略方形状（略長方形状）を呈し、長方形状における両側の先端側の角部を面取りした形状を呈している。
【０１３６】
また、蓋部２８０は、側面部２３０の上端から折れ線を介して連設され、略方形状（略長方形状）を呈し、長方形状における両側の先端側の角部を面取りした形状を呈している。この蓋部２８０は、蓋部２７０と同大同形状に形成されている。
【０１３７】
また、フラップ部２９０は、背面部２４０の上端から折れ線を介して連設され、略方形状（略長方形状）を呈し、長方形状における両側の先端側の角部を面取りした形状を呈している。このフラップ部２９０は、フラップ部２６０と同大同形状に形成されている。
【０１３８】
なお、蓋部２７０、２８０における先端側の辺部（スリーブ状部２０５側とは反対側の辺部）に対する面取りの角度は、フラップ部２６０、２９０における先端側の辺部（スリーブ状部２０５側とは反対側の辺部）に対する面取りの角度よりも小さく形成されている。
【０１３９】
これら蓋部２７０、２８０及びフラップ部２６０、２９０は、外箱部Ｂの上面を開閉するものであり、特に、蓋部２７０、２８０を閉状態とすることにより外箱部Ｂの上面が塞がれる。つまり、蓋部２７０、２８０の基端から先端までの長さは、正面部２１０及び背面部２４０の横方向の長さの半分であり、蓋部２７０、２８０を閉じた際には、蓋部２７０の先端と蓋部２８０の先端が接する。蓋部２７０、２８０及びフラップ部２６０、２９０は、いわゆるＡ式と言われるものである。なお、蓋部２７０、２８０及びフラップ部２６０、２９０は、予め上方に立設した状態になっていて、外箱部Ｂの上方が開口した状態になっている。
【０１４０】
また、正面部２１０と側面部２２０の境界位置の下側には縦長帯状の開口部Ｋ２２０が形成され、また、正面部２１０と側面部２３０の境界位置の下側には縦長帯状の切欠部Ｋ２３０が形成され、内箱部Ａと外箱部Ｂとを接着した状態では、開口部Ｋ２２０の上端が正面部１０と側面部２０間の境界位置の上端と略一致し、切欠部Ｋ２３０の上端が正面部１０と側面部３０間の境界位置の上端と略一致し、特に、切欠部Ｋ２３０の上端が正面部１０と側面部３０間の境界位置の上端と係合している。
【０１４１】
外箱部Ｂを箱状に組み立てた状態では、正面部２１０と背面部２４０とが互いに平行になり、側面部２２０と側面部２３０とが互いに平行になる。また、スリーブ状部２０５を構成する各部材（正面部２１０、側面部２２０、２３０、背面部２４０）における隣接する部材は互いに直角（略直角としてもよい）となっている。
【０１４２】
次に、内箱部Ａと外箱部Ｂとは、分離部２４、３４の箇所で互いに接着されている。つまり、分離部２４の外側の面と側面部２２０（特に、片部２２４）の内側の面とが接着剤その他の接着手段により接着されるとともに、分離部３４の外側の面と側面部２３０（特に、片部２３４）の内側の面とが接着剤その他の接着手段により接着されることにより、包装箱Ｐが全体に一体に形成される。つまり、分離部２４の外側の面の全部又は一部の領域と側面部２２０の内側の面の間には接着剤層（図示せず）が設けられていて、同様に、分離部３４の外側の面の全部又は一部の領域と側面部２３０の内側の面の間には接着剤層（図示せず）が設けられている。これにより、外箱部Ｂのスリーブ状部２０５は、内箱部Ａにおけるスリーブ状部５の外側の面に沿って設けられ、例えば、正面部１０の外側の面に沿って正面部２１０が設けられ、側面部２０の外側の面に沿って側面部２２０が設けられ、側面部３０の外側の面に沿って側面部２３０が設けられ、背面部４０の外側の面に沿って背面部２４０が設けられている。該接着剤層の接着力は、外箱部Ｂの片部２２４を外側に回動させた際に、同時に分離部２４の周囲の切目線２４ａが破れて、分離部２４が内箱部Ａから分離し、回動させた片部２２４に接着した状態で片部２２４に従動するように設定されていて、同様に、外箱部Ｂの片部２３４を外側に回動させた際に、同時に分離部３４の周囲の切目線３４ａが破れて、分離部３４が内箱部Ａから分離し、回動させた片部２３４に接着した状態で片部２３４に従動するように設定されている。
【０１４３】
また、内箱部Ａと外箱部Ｂとが接着された状態では、内箱部Ａの下端と外箱部Ｂの下端とが同じ高さになるように形成されている。なお、内箱部Ａと外箱部Ｂとは、分離部２４、３４の箇所以外は互いに接着されていない。
【０１４４】
以上のように、内箱部Ａは外箱部Ｂの内側に収納した状態となっていて、内箱部Ａの底面部５０以外は外箱部Ｂに被覆された状態となっている。つまり、外箱部Ｂの下端の高さ方向の位置は、内箱部Ａの下端の高さ方向の位置と略同一であり、蓋部２７０、２８０を封止した状態では内箱部Ａにおいては底面部５０のみが露出している。
【０１４５】
なお、上記構成の包装箱Ｐは、内箱部Ａが上記のように折り畳むことができ、また、外箱部Ｂがスリーブ状部２０５を有し、全体に略スリーブ状を呈しているので、包装箱Ｐの状態においても平板状に折り畳むことができ、正面部２１０を側面部２３０に対して略平行になるようにし、かつ、側面部２２０を背面部２４０に対して略平行になるようにすることにより、図１４に示すように平板状に折り畳むことができる。
【０１４６】
なお、上記内箱部Ａ及び外箱部Ｂにおいて、各折れ線の箇所には、予め罫線が形成されている。また、内箱部Ａ及び外箱部Ｂにおいて、各折れ線は直線状となっている。
【０１４７】
上記構成の包装箱Ｐの製造工程について説明する。まず、展開状態の内箱部Ａと外箱部Ｂとを製造する。
【０１４８】
次に、外箱部Ｂの内側の面に内箱部Ａの外側の面を接着させる（第１接着工程）。つまり、展開状態の外箱部Ｂの内側の面を上側にして、片部２２４における分離部２４との接着領域（図１０のハッチングに示す領域）と片部２３４における分離部３４との接着領域（図１０のハッチングに示す領域）に接着剤を塗布して、展開状態の内箱部Ａを図１０に示すように重ねる。これにより、分離部２４と片部２２４が接着され、分離部３４と片部２３４が接着される。その際、外箱部Ｂのスリーブ状部２０５の下辺と内箱部Ａのスリーブ状部５の下辺とが略一致する（一致するとしてもよい）ようにし、また、外箱部Ｂと内箱部Ａとにおいて、折れ線Ｃ２と折れ線Ｃ１２を一致させる。なお、スリーブ状部５とスリーブ状部２０５において、互いに対応する部材の横方向の長さは、外箱部Ｂの方が長く形成されているので、図１０に示すように、折れ線Ｃ１３は、折れ線Ｃ３に対して外側にずれ、折れ線Ｃ１１は折れ線Ｃ１に対して外側にずれる。なお、外箱部Ｂのスリーブ状部２０５の下辺と内箱部Ａのスリーブ状部５の下辺とを略一致させるので、内箱部が外箱部の下方から見えてしまい見栄えが悪くなることがない。
【０１４９】
次に、前正面部１１に接着剤を塗布し（具体的には、図１０のハッチングに示す領域に塗布する）、その後、後正面部１２と傾斜部１４と支持部１６とからなる領域を折れ線Ｃ５１、Ｃ５２を介して前正面部１１に対して折り返して、前正面部１１と後正面部１２とを接着させる（接着工程）。なお、前正面部１１に接着剤を塗布する代わりに、後正面部１２に接着剤を塗布してもよい。その後、傾斜部１４と支持部１６からなる領域を折れ線Ｃ６を介して後正面部１２に対して折り返して、図１１に示す状態とする。つまり、後正面部１２が前正面部１１に接着されるとともに、傾斜部１４が後正面部１２に対して折れ線Ｃ６を介して折り返した状態とする（接着・折り返し工程）。
【０１５０】
なお、後正面部１２を折れ線Ｃ５１、Ｃ５２を介して前正面部１１に対して折り返す工程と、傾斜部１４を折れ線Ｃ６を介して後正面部１２に対して折り返す工程とを同時におこなってもよい。
【０１５１】
次に、内箱部Ａの底面部５０を構成する各部をスリーブ状部５に対して内側に折り返し、さらに、左底面部８０の接着部８６を本体部８２に対して外側に折り返して、図１２に示す状態とする（折り返し工程）。つまり、前底面部６０を折れ線Ｃ２１を介して正面部１０側に折り返し、右底面部７０を折れ線Ｃ２２を介して側面部２０側に折り返し、左底面部８０を折れ線Ｃ２０を介して側面部３０側に折り返し、後底面部９０を折れ線Ｃ２３を介して背面部４０側に折り返し、さらに、接着部８６を本体部８２に対して折り返す。
【０１５２】
次に、接着部７８の領域に接着剤を塗布して（図１２のハッチングに示す領域に接着剤を塗布する）（接着剤塗布工程）、背面部２４０を折れ線Ｃ１３を介して側面部２２０の側に内側に折り返す（折り返し工程）ことにより、背面部４０を折れ線Ｃ３を介して側面部２０側に折り返し、図１３に示す状態とする。すると、接着部７８が後底面部９０に接着される（第２接着工程）。
【０１５３】
次に、接着部８６の領域と、糊代部４９の領域と、糊代部２４２の領域に接着剤を塗布して（図１３のハッチングに示す領域に接着剤を塗布する）（第２接着剤塗布工程）、側面部２３０を折れ線Ｃ１１を介して正面部２１０の側に内側に折り返す（第２折り返し工程）ことにより、側面部３０を折れ線Ｃ１を介して正面部１０側に折り返し、図１４に示す状態とする。すると、接着部８６と前底面部６０が接着され、糊代部４９が側面部３０に接着され、糊代部２４２が背面部２４０に接着される（第３接着工程）。ここで、傾斜部１４の辺部１４ａが傾斜して形成されているので、側面部３０、２３０を折り返す際に、傾斜部１４が邪魔になることがない。なお、糊代部４９の代わりに、側面部３０における糊代部４９との接着領域に接着剤を塗布してもよく、また、糊代部２４２の代わりに、背面部２４０における糊代部２４２との接着領域に接着剤を塗布してもよく、また、接着部８６の代わりに、前底面部６０における接着部８６との接着領域に接着剤を塗布してもよい。以上のようにして、包装箱Ｐが製造される。なお、上記の製造は、組立て装置により自動で製造される。
【０１５４】
なお、上記の製造工程において、左底面部８０を側面部３０側に折り返し、前底面部６０を正面部１０側に折り返し、さらに、接着部８６を本体部８２に対して折り返す工程は、背面部２４０を側面部２２０の側に折り返して、接着部７８を後底面部９０に接着した後で、接着部８６の領域と、糊代部４９の領域と、糊代部２４２の領域に接着剤を塗布する前に行ってもよい。左底面部８０を側面部３０側に折り返し、前底面部６０を正面部１０側に折り返し、さらに、接着部８６を本体部８２に対して折り返す工程と、その後に、接着部８６と糊代部４９、２４２に接着剤を塗布する工程が、第２折り返し・接着剤塗布工程となる。その場合、上記折り返し工程では、右底面部７０と後底面部９０を折り返し、その後、接着部７８に接着剤を塗布することになる（第１折り返し・接着剤塗布工程）。
【０１５５】
また、接着部８６への接着剤の塗布は、左底面部８０を折り返し接着部８６を折り返した状態で行うとしたが、図１１の状態で接着部８６に接着剤を塗布した後に、左底面部８０を図１２に示す状態としてもよい（接着剤塗布・折り返し工程）。なお、図１１の状態で接着部８６に接着剤を塗布した後に、左底面部８０を図１２に示す状態とするのは、背面部２４０を側面部２２０の側に折り返して、接着部７８を後底面部９０に接着した後でもよい。
【０１５６】
上記構成の包装箱Ｐの使用状態について説明する。包装箱Ｐを使用しない状況では、包装箱Ｐは平板状に折り畳むことができるので、折り畳んで保管しておく。すなわち、外箱部Ｂがスリーブ状部２０５を有するとともに、内箱部Ａがスリーブ状部５を有しているので、包装箱Ｐの状態においても扁平状（平板状としてもよい）に折り畳むことができ、正面部２１０と側面部２３０間の角度を小さくし、側面部２２０と背面部２４０間の角度を小さくすることにより、図１４に示すように扁平状に折り畳むことができる。包装箱Ｐを折り畳むことにより、内箱部Ａにおける正面部１０と側面部３０間の角度（第１角度）α１１は、組立て状態における正面部１０と側面部３０間の角度（つまり、９０度（略９０度としてもよい））よりも小さく、内箱部Ａにおける背面部４０と側面部２０間の角度（第２角度）α１２は、組立て状態における背面部４０と側面部２０間の角度（つまり、９０度（略９０度としてもよい））よりも小さくなり、包装箱Ｐを扁平状に折り畳んで、右底面部７０が側面部２０に接した状態では、右底面部７０は平板状となり、本体部８２が側面部３０接した状態では、本体部８２と起立部８８からなる領域は平板状となる。
【０１５７】
なお、上記のように包装箱Ｐが製造された段階では、接着部７８と本体部７２が切目線７８Ｋを介して連結されているので、右底面部７０が平板状の状態に維持され、これにより、包装箱Ｐが扁平状に折り畳まれた状態が維持されるので、折り畳んだ状態の包装箱Ｐを保管・運搬する際に省スペースを図ることができる。
【０１５８】
次に、包装箱Ｐを使用する際に、包装箱Ｐを組み立てる。すなわち、外箱部Ｂにおける正面部２１０と背面部２４０とが互いに平行になり、側面部２２０と側面部２３０とが互いに平行になるようにするとともに、内箱部Ａにおける正面部１０と背面部４０とが互いに平行になり、側面部２０と側面部３０とが互いに平行になるようにし、底面部５０がスリーブ状部５、２０５に対して直角になるようにすることにより包装箱Ｐが立体状に組み立てられる。
【０１５９】
なお、内箱部Ａにおける正面部１０と背面部４０とが互いに平行になり、側面部２０と側面部３０とが互いに平行になるようにすることにより、底面部５０が以下のように組み立てられる。
【０１６０】
すなわち、スリーブ状部５を広げていく（つまり、側面部２０と背面部４０間の角度（第２角度）を大きくするとともに、側面部３０と正面部１０間の角度（第１角度）を大きくする）と、接着部７８が後底面部９０に接着されているので、切目線７８Ｋが破断して、接着部７８が起立部７６に対して折曲した状態になるとともに、本体部７２が起立部７４に対して折曲した状態となる。つまり、内箱部Ａを折り畳んだ状態では、もともと起立部７４、７６は上下方向を向いており、側面部２０と背面部４０間の角度を大きくすることにより、本体部７２は側面部２０に対して下方に回動し、後底面部９０は背面部４０に対して下方に回動するが、起立部７４、７６は上下方向を向いたままとなるので、後底面部９０に接着された接着部７８は起立部７６に対して折曲した状態となり、本体部７２が起立部７４に対して折曲した状態となる。つまり、起立部７６と接着部７８の関係では、起立部７６は、接着部７８に対して上側に折曲した状態となり、起立部７４と本体部７２の関係では、起立部７４は、本体部７２に対して上側に折曲した状態となる（図１５参照）。また、スリーブ状部５を広げていくと、互いに対向していた本体部７２と後底面部９０が離れていくので、これにより切目線７８Ｋが破断する。
【０１６１】
その後、さらに、スリーブ状部５を広げていくと、起立部８８が起立部７４に接し、起立部８８が起立部７４に接することにより、起立部８８が本体部８２に対して上側に回動していく。なお、起立部８８が起立部７４に接する直前には、起立部８８の辺部８８ｃ（起立部８８が起立した状態における上辺）が右底面部７０の本体部７２の辺部７２ｄに接しながら、起立部８８が起立部７４に近づいていき、起立部８８の辺部８８ｃが起立部７４と起立部７６間の角部７５（折れ線Ｃ２５に沿った角部）に接する。
【０１６２】
辺部８８ｃが起立部７４と起立部７６間の角部７５に接した後は、スリーブ状部５を広げていくと、辺部８８ｃが該角部７５に接するとともに辺部７２ｄに接した状態で、起立部８８が本体部８２に対して回動しながら、起立部８８が起立部７４に対して背面側にスライドしていき、辺部８８ｃにおける辺部７２ｄと接する位置が辺部８８ｃの正面側の端部にくると、起立部８８の辺部８８ｄ（正面側の辺部）が辺部７２ｄに接する。
【０１６３】
その後、さらに、スリーブ状部５を広げていくと、辺部８８ｃが角部７５に接するともに、辺部８８ｄが辺部７２ｄに接した状態で、起立部８８が起立部７４に対して背面側にスライドしながら起立部８８が本体部８２に対して回動していく。
【０１６４】
すると、辺部８８ｃが角部７５に接するとともに、辺部８８ｄが辺部７２ｄに接した状態で、突状部８４の辺部８２ｆ（傾斜した辺部）が角部７５に接し、辺部８８ｃと辺部８２ｆが角部７５に接するとともに、辺部８８ｄが辺部７２ｄに接した状態で、起立部８８が起立部７４に対して背面側にスライドしながら起立部８８が本体部８２に対して回動していき、辺部８２ｆの辺部８２ｇ側の端部が角部７５の位置に来るとともに、辺部８８ｄが辺部７２ｄの辺部７２ｅ側の端部に来て、突状部８４の辺部８２ｇが角部７５（起立部７６の左側面側の端部としてもよい）と係合するとともに、起立部８８の辺部８８ｄ（起立部８８の正面側の端部）が本体部７２の辺部（係合用辺部）７２ｅと係合して、底面部５０が組み立てられ、内箱部Ａが組立て状態となる。辺部８２ｆが起立部７６と係合するタイミングと、起立部８８の辺部８８ｄが本体部７２の辺部７２ｅと係合するタイミングは、同時（ほぼ同時としてもよい）である。底面部５０が組み立てられた状態を示すと、図１６、図１７に示すようになる。
【０１６５】
なお、図１５、図１６は、内箱部Ａの様子を分かりやすくするために、外箱部Ｂの構成を省略して内箱部Ａのみを表している。また、図１７は、内箱部Ａが立体状に組み立てられて、底面部５０が組み立てられた状態を分かりやすくするために、糊代部４９による接着を解除して前正面部１１と側面部２０を同一平面上にあるようにした状態で示す斜視による説明図である。
【０１６６】
底面部５０が組み立てられた状態では、起立部８８は本体部８２に対して略直角（直角としてもよい）に折曲して起立し、起立部７４は本体部７２に対して略直角（直角としてもよい）に折曲して起立し、起立部７６は接着部７８に対して略直角（直角としてもよい）に折曲して起立し、起立部７６は起立部７４に対して略直角（直角としてもよい）に折曲し、起立部８８の起立部７４側の面と起立部７４の起立部８８側の面が対向して（つまり、２つの面が向かい合わせとなる）、起立部８８の起立部７４側の面と起立部７４の起立部８８側の面の少なくとも一部が接した状態となる。
【０１６７】
包装箱Ｐを立体状に組み立てたら、傾斜部１４を後正面部１２に対して回動した状態とし、支持部１６が傾斜部１４に対して回動して支持部１６が上下方向を向くようにし、支持部１６が背面部４０の内側の面に接し、脚部１８−１、１８−２が後底面部９０の上面に接するようにする。すると、傾斜部１４は、起立部７４、７６、８８に接し、水平方向（前底面部６０、本体部７２、８２、後底面部９０）に対して傾斜した状態となる。なお、底面部５０を組み立てた際の起立部７４と起立部７６と起立部８８の上方への突出度合いによっては、傾斜部１４の底面が起立部７４、７６、８８の全てに接するとは限らない場合もあり、その場合でも、傾斜部１４の底面は、少なくとも起立部７４、７６、８８のいずれかに接する。なお、起立部７４、７６、８８の全てが接しない場合でも、起立部８８は起立部７４よりも前後方向に長く伸び、左右方向に伸びるのは起立部７６であるので、実際には、傾斜部１４は、少なくとも起立部８８と起立部７６には接するといえる。
【０１６８】
傾斜部１４が起立部７４、７６、８８に接した状態では、スリーブ状部５の下辺（前正面部１１の下辺と側面部２０、３０の下辺と背面部４０の下辺）により囲まれる仮想平面（内箱部Ａの設置面としてもよい）に介して傾斜した状態となる。
【０１６９】
なお、スリーブ状部５を広げて内箱部Ａを組み立てた状態（つまり、内箱部Ａの組立て状態）とすると、後正面部１２に対して折り返された傾斜部１４は、折り返される前の状態に戻ろうとして、自然に背面側に回動した状態となるので、連結部１７を指でつかんで下方に押し込むことにより、傾斜部１４の左側面側の辺部１４ａが糊代部４９に接して、辺部１４ａと糊代部４９間の摩擦により、少なくとも支持部１６の上辺が背面部４０の内側の面に接する状態を維持することができ、傾斜部１４が傾斜状態から上方に浮き上がるのを防止することができる。なお、商品を傾斜部１４に載置しない状態では、傾斜部１４が起立部７４、７６、８８に接することなく、脚部１８−１、１８−２が後底面部９０に接しない場合でも、商品を傾斜部１４に載置することにより、その重みで傾斜部１４が起立部７４、７６、８８に接するとともに、脚部１８−１、１８−２が後底面部９０に接することになる。
【０１７０】
そして、図１８に示すように、包装箱Ｐの上方から複数の商品（被収納物）Ｇを内箱部Ａ内に収納する。図１８は、袋状の商品である例を示しているが、他の商品であってもよい。なお、蓋部２７０、２８０及びフラップ部２６０、２９０は、予め上方に立設した状態になっていて、外箱部Ｂの上方が開口した状態になっているので、商品Ｇはそのまま包装箱Ｐの上方から収納すればよい。その後、フラップ部２６０、２９０を閉じた後に蓋部２７０、２８０を閉じて、図１９に示すように、接着テープＴを外箱部Ｂの正面部２１０から上面を経て背面部２４０側にまで接着させることにより、蓋部２７０、２８０を封止する。
【０１７１】
以上のようにして、商品Ｇを包装箱Ｐに包装したら、商品Ｇを収納した包装箱Ｐを商品Ｇを陳列する場所に搬送する。
【０１７２】
その後、商品を陳列する場合には、外箱部Ｂを内箱部Ａから分離する。すなわち、外箱部Ｂの側面部２２０の片部２２６を内側に押し込むことにより片部２２４の先端に指を引っかけることができるようにした後に、片部２２４を外側に回動させて、図２０に示す状態とする。つまり、折れ線Ｃ２２４が回動軸となって片部２２４が上下方向に回動する。
【０１７３】
同様に、外箱部Ｂの側面部２３０の片部２３６を内側に押し込むことにより片部２３４の先端に指を引っかけることができるようにした後に、片部２３４を外側に回動させる。つまり、折れ線Ｃ２３４が回動軸となって片部２３４が上下方向に回動する。なお、片部２２４、２３４が回動する際の回動軸となる折れ線Ｃ２２４、Ｃ２３４の箇所には、罫線を形成しておかなくても片部２２４、２３４を回動させることにより自然と折れ線が形成されるが、予め該折れ線の箇所に罫線を形成しておいてもよい。
【０１７４】
すると、外箱部Ｂの片部２２４を外側に回動させた際に、同時に分離部２４の周囲の切目線２４ａが破れて、分離部２４が内箱部Ａ（具体的には、本体部２２）から分離し、回動させた片部２２４に接着した状態で片部２２４に従動する。同様に、外箱部Ｂの片部２３４を外側に回動させた際に、同時に分離部３４の周囲の切目線３４ａが破れて、分離部３４が内箱部Ａ（具体的には、本体部３２）から分離し、回動させた片部２３４に接着した状態で片部２３４に従動する。
【０１７５】
そして、図２１に示すように、外箱部Ｂを上方に引き上げることにより、商品Ｇを収納した状態で、かつ、分離部２４、３４が分離した状態の内箱部Ａが残るので、商品Ｇを収納した状態で内箱部Ａを陳列する。なお、包装箱Ｐにおける内箱部Ａにおいては、正面部１０に切欠部Ｋ１０が儲けられているので、正面部１０側を陳列における正面側として陳列することにより、正面側から商品Ｇを視認することができる。つまり、商品Ｇを内箱部Ａの上方から視認できるとともに、内箱部Ａの正面部１０側から視認することができる。
【０１７６】
なお、内箱部Ａの組立て状態において、商品Ｇは、傾斜部１４の上面に載置されていて、傾斜部１４は、正面部１０側に向けて下方となるように傾斜しているので、商品Ｇは、傾斜状態で陳列され、正面部１０側にスライドしやすくなり、商品Ｇを正面側から取り出しやすくすることができ、商品を正面側に移動させる作業を行う必要がない。つまり、手前の商品が取り出されると、商品Ｇの重みで傾斜部１４に載置された商品Ｇが正面部１０側にスライドして、商品Ｇを常に正面側に位置させることができる。
【０１７７】
また、傾斜部１４の底面が、起立部７４、７６、８８により支持されて傾斜部１４の傾斜状態が保たれるので、傾斜部１４が傾斜方向に長く形成されたり、重量の重い商品を載せた場合でも、傾斜部１４が下方に撓むことなく、商品の傾斜状態での陳列を行なうことができる。特に、起立部７４、８８が前後方向に伸びて起立し、起立部７６が左右方向に伸びて起立するので、傾斜部１４の傾斜状態が安定して保たれる。また、傾斜部１４は、支持部１６によっても支持されるので、支持部１６によっても傾斜部１４の傾斜状態を保つことができ、特に、傾斜部１４における起立部８８よりも背面側の領域が下方に撓むことがない。
【０１７８】
また、傾斜部１４が起立部７４、７６、８８により支持された状態では、起立部７４の辺部７４ｃと起立部８８の辺部８８ｃは、傾斜部１４の底面に沿った状態となるので、傾斜部１４の傾斜状態を安定させることができる。なお、底面部５０が組み立てられた状態では、起立部７６は、左右方向に向いているので、傾斜した傾斜部１４を支持するのに支障がない。
【０１７９】
また、支持部１６には連結部１７が設けられていて、傾斜部１４の傾斜状態では、連結部１７が傾斜部１４の背面側の端部から立設した状態となるので（図４参照）、傾斜部１４に載置された商品が傾斜部１４の背面部４０側から落下するおそれがない。すなわち、前後方向に厚みの薄い商品の場合に、連結部１７が設けられていないと傾斜部１４の背面部４０側の端部から傾斜部１４と背面部４０の隙間に落下するおそれがあるが、連結部１７が設けられているので、そのおそれがない。
【０１８０】
また、上記の実施例１の説明によれば、後正面部１２が前正面部１１から連設され、傾斜部１４が後正面部１２から連設されているとしたが、後正面部１２と傾斜部１４と支持部１６からなる構成を背面部４０の上辺から連設してもよい。すなわち、背面部４０を前正面部１１のように切欠部が形成された構成とし、背面部４０の上辺から後正面部１２と同様の構成の後背面部を連設し、さらに、後背面部の背面部４０とは反対側の辺部から傾斜部１４を連設し、さらに、傾斜部１４から支持部１６を連設する。なお、正面部１０においては、後正面部１２は形成されず、前正面部１１には切欠部は形成されない。
【０１８１】
この場合には、傾斜部は、背面側から正面側に向けて上方となるように傾斜するので、起立部７４における辺部７４ｃと起立部８８における辺部８８ｃは、背面側から正面側に向けて上側となるように傾斜する（つまり、傾斜方向が逆になる）。なお、起立部８８には、突状部８４のための切欠部が設けられ、辺部７４ｃの傾斜方向を逆にすると、辺部７４ｃと切欠部とが干渉するおそれがあるので、起立部８８を突状部８４よりも正面側のみに設けてもよい。
【実施例２】
【０１８２】
実施例２の包装箱Ｐ’は、実施例１の包装箱Ｐと略同様の構成であり、内箱部の構成のみが異なる。
【０１８３】
すなわち、実施例２の包装箱における内箱部Ａ’は、図２２〜図２４に示すように構成され、正面部１０に切欠部を形成する代わりに、背面部４０の上側に切欠部Ｋ４０が形成されている。
【０１８４】
すなわち、背面部４０は方形状の上側に切欠部Ｋ４０を設けた形状を呈し、背面部４０の上側の辺部は、側面部２０の上辺から連設され、左右方向に直線状に形成された辺部４０ａと、辺部４０ａの端部から連設され、略円弧状に直線状に形成された辺部４０ｂと、辺部４０ｂの端部から連設され、略上下方向に形成された直線状の辺部４０ｃと、辺部４０ｃの端部から連設され、略円弧状に形成された辺部４０ｄと、辺部４０ｄの端部から連設され、左右方向に直線状に形成された辺部４０ｅと、辺部４０ｅの端部から連設され、略円弧状に形成された辺部４０ｆと、辺部４０ｆの端部から連設され、略上下方向に直線状に形成された辺部４０ｇと、辺部４０ｇの端部から連設され、略円弧状に形成された辺部４０ｈと、辺部４０ｈの端部から連設され、左右方向に直線状に形成された辺部４０ｉとを有している。辺部４０ａと辺部４０ｉは、同一直線状に形成され、辺部４０ｃは、下方にいくに従い左側面側となるように折れ線Ｃ３、Ｃ４の方向に対して傾斜し、辺部４０ｇは、下方にいくに従い右側面側となるように折れ線Ｃ３、Ｃ４の方向に対して傾斜している。辺部４０ｃと辺部４０ｇはテーパ状となっている。
【０１８５】
なお、実施例２においては、前正面部１１と後正面部１２には切欠部は形成されていない。
【０１８６】
内箱部Ａ’の構成は、上記の点以外は実施例１の内箱部Ａと同様の構成であるので、詳しい説明を省略する。
【０１８７】
また、実施例２の包装箱Ｐ’における外箱部Ｂは、実施例１おける外箱部Ｂと同様の構成であるので、詳しい説明を省略する。
【０１８８】
また、実施例２の包装箱の製造方法は、内箱部として、内箱部Ａ’を用いる以外は実施例１の包装箱の場合と同様であるので、詳しい説明を省略する。
【０１８９】
実施例２の内箱部Ａ’においては、切欠部Ｋ４０が背面部４０に設けられているので、商品の陳列に際しては、背面部４０を陳列における正面側として使用する。つまり、内箱部Ａ’を陳列における正面側から見た斜視図は図２３のようになり、内箱部Ａ’を陳列における背面側から見た斜視図は図２４のようになる。
【０１９０】
すると、商品を陳列した状態では、傾斜部１４は、陳列における正面側から背面側に向けて下方に傾斜した状態となるので、陳列された商品の正面側が斜め上向きとなるので、商品の正面側の面を斜め上方から視認しやすくすることができる。
【０１９１】
なお、実施例２の包装箱の使用状態は、陳列に際して、背面部４０側を陳列における正面側として使用する以外は実施例１の包装箱と同様であるので、詳しい説明を省略する。
【０１９２】
なお、実施例２においては、陳列における正面側から商品を取り出していくとすると、商品が傾斜部１４の上面をスライドする必要がないので、商品の重量が重い、商品の底面がスライドしにくい素材により形成されている等商品が傾斜部１４上をスライドしにくい場合には、実施例２の内箱部Ａ’を用いるのが好ましく、一方、商品の重量が軽い、商品の底面がスライドしやすい素材により形成されている等商品が傾斜部１４上をスライドしやすい場合には、実施例１の内箱部Ａを用いるのが好ましいといえる。
【０１９３】
また、実施例２の包装箱Ｐ’においても、傾斜部１４は、支持部１６により支持されるのみならず、起立部７４、７６、８８により支持されるので、傾斜部１４が傾斜方向に長く形成されたり、重量の重い商品を載せた場合でも、傾斜部１４が下方に撓むことなく、商品の傾斜状態での陳列を行なうことができる。特に、起立部７４、８８が前後方向に伸びて起立し、起立部７６が左右方向に伸びて起立するので、傾斜部１４の傾斜状態が安定して保たれる。
【０１９４】
また、実施例２の包装箱Ｐ’においても、傾斜部１４が起立部７４、７６、８８により支持された状態では、起立部７４の辺部７４ｃと起立部８８の辺部８８ｃは、傾斜部１４の底面に沿った状態となるので、傾斜部１４の傾斜状態を安定させることができる。なお、底面部５０が組み立てられた状態では、起立部７６は、左右方向に向いているので、傾斜した傾斜部１４を支持するのに支障がない。
【０１９５】
また、実施例２の包装箱Ｐ’においても、支持部１６には連結部１７が設けられていて、傾斜部１４の傾斜状態では、連結部１７が傾斜部１４の背面部４０側の端部から立設した状態となるので（図２４参照）、傾斜部１４に載置された商品が傾斜部１４の背面部４０側から落下するおそれがない。
【０１９６】
なお、実施例２において、切欠部Ｋ４０の代わりに開口部としてもよい。つまり、スリーブ状部５の上下方向の高さを図示する構成よりも高くして、背面部４０に開口部を形成し、該開口部から商品を視認したり、商品を取り出すことができるようにしてもよい。
【０１９７】
また、上記の実施例２の説明によれば、後正面部１２が前正面部１１から連設され、傾斜部１４が後正面部１２から連設されているとしたが、後正面部１２と傾斜部１４と支持部１６からなる構成を背面部４０の上辺から連設してもよい。すなわち、背面部４０を切欠部Ｋ４０が省略された構成とし、背面部４０の上辺から後正面部１２と同様の構成の後背面部を連設し、さらに、後背面部の背面部４０とは反対側の辺部から傾斜部１４を連設し、さらに、傾斜部１４から支持部１６を連設する。なお、正面部１０においては、後正面部１２は形成されず、前正面部１１には切欠部Ｋ４０と同様の切欠部が形成される。
【０１９８】
この場合には、傾斜部は、背面側から正面側に向けて上方となるように傾斜するので、起立部７４における辺部７４ｃと起立部８８における辺部８８ｃは、背面側から正面側に向けて上側となるように傾斜する（つまり、傾斜方向が逆になる）。なお、起立部８８には、突状部８４のための切欠部が設けられ、辺部７４ｃの傾斜方向を逆にすると、辺部７４ｃと切欠部とが干渉するおそれがあるので、起立部８８を突状部８４よりも正面側のみに設けてもよい。
【０１９９】
なお、実施例１及び実施例２の包装箱によれば、上方が開口した包装箱に対して上方から被収納物である商品を収納して、蓋部２７０、２８０を閉じて１つの接着テープＴにより封止するのみであるので、容易に商品の梱包作業を行うことができる。
【０２００】
さらに、実施例１及び実施例２の包装箱の製造方法によれば、上記のように、外箱部Ｂと内箱部Ａ（又は内箱部Ａ’）を重ねて接着した後に、前正面部１１と後正面部１２を接着した後に、底面部５０を構成する各部をスリーブ状部５に対して折り返して、所定の領域に接着剤を塗布した後に、折り返す工程を２回行う（つまり、図１２の状態から図１３の状態への工程と、図１３の状態から図１４の状態への工程）ことにより製造することができるので、包装箱の製造が容易となる。
【０２０１】
また、外箱部Ｂにおいて、切目線２２２ａ、２２２ｃ、２３２ａ、２３２ｃは切断予定線であるとしたが、連続した切込みにより形成された切目線でもよい。
【０２０２】
なお、実施例１及び実施例２においては、陳列における正面側から商品を視認するための切欠部（切欠部Ｋ１０、Ｋ４０）が設けられているとしたが、該切欠部の構成を省略してもよい。すなわち、該切欠部が設けられなくても、内箱部に陳列された商品を斜め上方から視認することができるので、切欠部の構成を省略してもよい。
【０２０３】
また、上記の説明において、図１０〜図１４に示す工程で包装箱を製造するとして説明したが、外箱部Ｂと内箱部Ａ（又は内箱部Ａ’）の展開状態を左右対称として製造してもよい。すなわち、実施例１を例にとると、図９に示す状態の外箱部Ｂの上面に図６に示す状態の内箱部Ａを重ねて接着し、前正面部１１と後正面部１２を接着し、内箱部Ａの底面部を構成する各部を折り返すとともに、接着部８６を外側に折り返して、接着部７８に接着剤を塗布して背面部２４０を折り返し、さらに、接着部８６と糊代部４９、２４２に接着剤を塗布して側面部２３０を折り返すことにより包装箱を製造してもよい。その場合に製造された包装箱は、図１〜図５の構成に際して左右対称に形成されることになり、例えば、背面部４０から連設された糊代部４９は、右側面部の内側の面に接着されることになる。
【０２０４】
また、実施例１及び実施例２の説明において、外箱部Ｂにおいては、スリーブ状部２０５の上辺から連設された蓋部２７０、２８０とフラップ部２６０、２９０は、Ａ式であるとしたが、他の形式、例えば、Ｂ式（一対の内フラップと蓋部とを有し、蓋部が、スリーブ状部２０５から連設された蓋部本体と、蓋部本体の先端から連設され、スリーブ状部２０５の内側に差し込まれる差込み片部とを有するもの。つまり、スリーブ状部２０５の４つの上辺（正面部２１０と側面部２２０、２３０と背面部２４０の上辺）のいずれかから蓋部が連設され、蓋部が連設された上辺に隣接する２つの辺部から内フラップが連設される。）としてもよい。つまり、蓋部は、スリーブ状部２０５の４つの上辺の少なくとも１つから連設されていればよい（つまり、蓋部は、スリーブ状部２０５の上端から折れ線を介して連設されていればよい）。
【０２０５】
また、実施例１及び実施例２の説明において、内箱部Ａにおいて、分離部２４、３４は切目線２４ａ、３４ａと開口部２４ｂ、３４ｂにより囲まれている（つまり、分離部２４、３４は本体部２２、３２（及び開口部２４ｂ、３４ｂ）に囲まれている）としたが、側面部２０、３０の上辺を低く形成して、分離部２４の上辺が側面部２０の上辺の一部を構成し（つまり、分離部２４の上側には本体部２２が存在しない）、分離部３４の上辺が側面部３０の上辺の一部を構成する（つまり、分離部３４の上側に本体部３２が存在しない）ものとしてもよい。この場合には、開口部２４ｂ、３４ｂは設けられず、分離部２４、３４の上辺を除いた三辺が本体部２２、３２と切目線２４ａ、３４ａを介して連設される。このような構成の場合でも、分離部２４、３４が側面部２０、３０における分離部２４、３４以外の部分である本体部２２、３２と切目線２４ａ、３４ａを介して分離可能になっているといえる。
【０２０６】
また、実施例１及び実施例２の説明において、内箱部Ａにおいて、分離部２４、３４が設けられるのは、スリーブ状部５において相対する側面部（側面部２０と側面部３０）であるとしたが、これには限られず、スリーブ状部５を構成する４つの部材（内側面部）（正面部１０と側面部２０、３０と背面部４０）（４つの側面部としてもよい）において、互いに隣接する部材に分離部を設けてもよい。その場合に、当然、切欠部（例えば、切欠部Ｋ１１、Ｋ４０）を形成する内側面部には分離部は形成しない。例えば、切欠部Ｋ１１を構成する前正面部１１の構成や切欠部Ｋ４０の構成を背面部４０を図６における４つの部材（前正面部１１と側面部２０、３０と背面部４０）のうちの端部に位置する部材（例えば、背面部４０）の位置に配置し、分離部を内側の２つの部材（図６における前正面部１１と側面部２０の位置の部材）に配置してもよい。
【０２０７】
同様に、外箱部Ｂにおいて、片部２２４、２３４が設けられるのは、スリーブ状部２０５において相対する側面部（側面部２２０と側面部２３０）であるとしたが、これには限られず、スリーブ状部２０５を構成する４つの部材（正面部２１０と側面部２２０、２３０と背面部２４０）（４つの側面部としてもよい）において、互いに隣接する部材に分離部と接着する片部を設けてもよい。
【符号の説明】
【０２０８】
Ｐ  包装箱
Ａ  内箱部
Ｂ  外箱部
５、２０５  スリーブ状部
１０、２１０  正面部
１１  前正面部
１２  後正面部
１４  傾斜部
１６  支持部
１７  連結部
１８−１、１８−２  脚部
２０、３０、２２０、２３０  側面部
２４、３４  分離部
４０、２４０  背面部
４９、２４２  糊代部
５０  底面部
６０  前底面部
７０  右底面部
７２、８２  本体部
７４、７６、８８  起立部
７８、８６  接着部
８３  主本体部
８４  突状部
２２４、２３４  片部
２６０、２９０  フラップ部
２７０、２８０  蓋部
【図１】
2018115001.tif 000003
【図２】
2018115001.tif 000004
【図３】
2018115001.tif 000005
【図４】
2018115001.tif 000006
【図５】
2018115001.tif 000007
【図６】
2018115001.tif 000008
【図７】
2018115001.tif 000009
【図８】
2018115001.tif 000010
【図９】
2018115001.tif 000011
【図１０】
2018115001.tif 000012
【図１１】
2018115001.tif 000013
【図１２】
2018115001.tif 000014
【図１３】
2018115001.tif 000015
【図１４】
2018115001.tif 000016
【図１５】
2018115001.tif 000017
【図１６】
2018115001.tif 000018
【図１７】
2018115001.tif 000019
【図１８】
2018115001.tif 000020
【図１９】
2018115001.tif 000021
【図２０】
2018115001.tif 000022
【図２１】
2018115001.tif 000023
【図２２】
2018115001.tif 000024
【図２３】
2018115001.tif 000025
【図２４】
2018115001.tif 000026